(57)【要約】  本発明は、無線充電受信装置及び移動端末を提供する。コイルは、第一端、第二端及び中間タップを含み、第一端と第二端と間のコイルは第一電圧を提供し、第一端と中間タップとの間のコイルは第二電圧を提供し、第一整流モジュールは、コイルの第一端及び第二端に接続され、第二整流モジュールは、コイルの第一端及び中間タップに接続され、充電モジュールは、第一整流モジュールに接続され、第一電圧に基づいてバッテリを充電するために用いられ、無線受信チップ電力供給モジュールは、第二整流モジュールに接続され、第二電圧に基づいて無線受信チップに電力を供給するために用いられる。無線受信チップの損失を効果的に低減することができ、発熱を減少する。
2021516944.tif 000002
【特許請求の範囲】
【請求項１】
無線充電受信装置であって、
第一端、第二端及び中間タップを含み、前記第一端と前記第二端と間のコイルは第一電圧を提供し、前記第一端と前記中間タップとの間のコイルは第二電圧を提供するコイルと、
前記コイルの第一端及び第二端に接続される第一整流モジュールと、
前記コイルの第一端及び中間タップに接続される第二整流モジュールと、
前記第一整流モジュールに接続され、前記第一電圧に基づいてバッテリを充電するために用いられる充電モジュールと、
前記第二整流モジュールに接続され、前記第二電圧に基づいて無線受信チップに電力を供給するために用いられる無線受信チップ電力供給モジュールと、
を含む、
ことを特徴とする無線充電受信装置。
【請求項２】
前記無線充電受信装置は、前記第二整流モジュールと前記無線受信チップ電力供給モジュールとの間に接続され、且つ前記第二電圧を第三電圧に降圧して前記無線受信チップに電力を供給するために用いられる降圧モジュールをさらに含む、
ことを特徴とする請求項１に記載の無線充電受信装置。
【請求項３】
前記第一電圧は前記第二電圧より大きい、
ことを特徴とする請求項１に記載の無線充電受信装置。
【請求項４】
前記中間タップは第一中間タップ及び第二中間タップを含み、前記コイルの第一端と前記第一中間タップとの間のコイルは前記第二電圧を提供し、前記コイルの第一端と前記第二中間タップとの間のコイルは第四電圧を提供し、前記第二整流モジュールは前記コイルの第一端及び第一中間タップに接続される、
ことを特徴とする請求項１に記載の無線充電受信装置。
【請求項５】
前記無線充電受信装置は、前記コイルの第一端及び前記第二中間タップに接続された第三整流モジュールをさらに備え、
前記充電モジュールは、前記第三整流モジュールに接続され、前記第一電圧又は前記第四電圧に基づいて前記バッテリを充電するために用いられる、
ことを特徴とする請求項４に記載の無線充電受信装置。
【請求項６】
前記第二中間タップの数量は複数であり、前記第三整流モジュールの数量も複数である、
ことを特徴とする請求項５に記載の無線充電受信装置。
【請求項７】
前記無線充電受信装置は、第一スイッチ、第二スイッチ及び制御モジュールをさらに含み、
前記第一スイッチは前記コイルの第二端に接続され、前記第二スイッチは前記第二中間タップに接続され、前記第一整流モジュールは前記第一スイッチ及び前記第二スイッチに接続され、前記充電モジュールは前記第一電圧又は前記第四電圧に基づいて前記バッテリを充電するために用いられ、
前記制御モジュールは前記第一スイッチ及び前記第二スイッチを制御するために用いられる、
ことを特徴とする請求項４に記載の無線充電受信装置。
【請求項８】
前記第二中間タップの数量は複数であり、前記第二スイッチの数量も複数である、
ことを特徴とする請求項７に記載の無線充電受信装置。
【請求項９】
前記無線充電受信装置は、現在の無線充電モードを獲得するように無線充電送信装置と通信し且つ現在の無線充電モードに基づいて現在の充電電圧を確定するモード判断モジュールをさらに含む、
ことを特徴とする請求項５又は７に記載の無線充電受信装置。
【請求項１０】
請求項１〜９のいずれか一項に記載の無線充電受信装置を含む、
ことを特徴とする移動端末。
【発明の詳細な説明】
【技術分野】
【０００１】
本発明は、無線充電技術分野に関し、さらに具体的に、無線充電受信装置及び移動端末に関する。
【背景技術】
【０００２】
現在、充電技術分野では、被充電機器は主に有線充電方式で充電されている。
【０００３】
携帯電話を例に挙げると、現在、携帯電話は依然として主に有線充電方式で充電されている。具体的には、携帯電話を充電することを必要とする場合、ユニバーサルシリアルバス（ｕｎｉｖｅｒｓａｌ ｓｅｒｉａｌ ｂｕｓ，ＵＳＢ）ケーブルなどの充電ケーブルによって携帯電話と電源装置を接続することができ、且つこの充電ケーブルによって電源装置の出力電力を携帯電話に伝送して、携帯電話のバッテリを充電する。
【０００４】
被充電機器にとって、有線充電方式は充電ケーブルを使用することを必要とするので、充電準備段階の作業が煩雑になる。従って、無線充電方式は、ユーザーの間で人気が高まっている。しかしながら、従来の無線充電方式は、無線受信チップの大幅な損失を容易に引き起こし、従って無線受信チップの発熱が深刻であり、改善する必要がある。
【発明の概要】
【０００５】
本出願は、少なくとも上述した背景技術に存在する１つの技術問題をある程度解決することを目的とする。このため、本出願の第一目的は無線充電受信装置を提供し、無線受信チップに電力を供給するように、コイルに中間タップを追加し且つ対応する整流モジュールを追加することにより、無線受信チップの損失を効果的に低減することができ、発熱を減少する。
【０００６】
本出願の第二目的は、移動端末を提供する。
【０００７】
上述した目的を達成するために、本出願の第一態様において、無線充電受信装置が提供される。無線充電受信装置は、コイルと、第一整流モジュールと、第二整流モジュールと、充電モジュールと、無線受信チップ電力供給モジュールと、を含む。コイルは、第一端、第二端及び中間タップを含み、第一端と第二端と間のコイルは第一電圧を提供し、第一端と中間タップとの間のコイルは第二電圧を提供する。第一整流モジュールは、コイルの第一端及び第二端に接続される。第二整流モジュールは、コイルの第一端及び中間タップに接続される。充電モジュールは、第一整流モジュールに接続され、第一電圧に基づいてバッテリを充電するために用いられる。無線受信チップ電力供給モジュールは、第二整流モジュールに接続され、第二電圧に基づいて無線受信チップに電力を供給するために用いられる。
【０００８】
本出願の実施形態に係わる無線充電受信装置において、コイルの第一端と第二端との間に中間タップが追加され、第一端と第二端のと間のコイルは第一電圧を提供し、第一端と中間タップとの間のコイルは第二電圧を提供する。第一整流モジュールはコイルの第一端及び第二端に接続され、第二整流モジュールはコイルの第一端及び中間タップに接続される。充電モジュールは、第一整流モジュールに接続され、第一電圧に基づいてバッテリを充電する。無線受信チップ電力供給モジュールは、第二整流モジュールに接続され、第二電圧に基づいて無線受信チップに電力を供給する。従って、無線受信チップの損失を効果的に低減することができ、発熱を減少する。
【０００９】
さらに、本出願の実施形態に係わる無線充電受信装置は、以下の追加された技術的特徴を有することもできる：
本出願の１つの実施形態において、無線充電受信装置は、第二整流モジュールと無線受信チップ電力供給モジュールとの間に接続された降圧モジュールをさらに含み、降圧モジュールは、第二電圧を第三電圧に降圧して、無線受信チップに電力を供給するために用いられる。
【００１０】
本出願の１つの実施形態において、第一電圧は第二電圧より大きい。
【００１１】
本出願の１つの実施形態において、中間タップは第一中間タップ及び第二中間タップを含み、コイルの第一端と第一中間タップとの間のコイルは第二電圧を提供し、コイルの第一端と第二中間タップとの間のコイルは第四電圧を提供し、第二整流モジュールはコイルの第一端及び第一中間タップに接続される。
【００１２】
本出願の１つの実施形態において、無線充電受信装置は、コイルの第一端及び第二中間タップに接続された第三整流モジュールをさらに備え、充電モジュールは、第三整流モジュールに接続され、第一電圧又は第四電圧に基づいてバッテリを充電するために用いられる。
【００１３】
本出願の１つの実施形態において、第二中間タップの数量は複数であり、第三整流モジュールの数量も複数である。
【００１４】
本出願の別の実施形態において、無線充電受信装置は第一スイッチ、第二スイッチ及び制御モジュールをさらに含み、第一スイッチはコイルの第二端に接続され、第二スイッチは第二中間タップに接続され、第一整流モジュールは第一スイッチ及び第二スイッチに接続され、充電モジュールは第一電圧又は第四電圧に基づいてバッテリを充電するために用いられ、制御モジュールは第一スイッチ及び第二スイッチを制御するために用いられる。
【００１５】
本出願の１つの実施形態において、第二中間タップの数量は複数であり、第二スイッチの数量も複数である。
【００１６】
本出願の１つの実施形態において、無線充電受信装置は、現在の無線充電モードを獲得するように無線充電送信装置と通信し且つ現在の無線充電モードに基づいて現在の充電電圧を確定するモード判断モジュールをさらに含む。
【００１７】
上述した目的を達成するために、本出願の第二態様において、移動端末が提供される。移動端末は、本出願の第一様態の無線充電受信装置を含む。
【００１８】
本出願の実施形態に係わる移動端末は上述した無線充電受信装置を含み、無線受信チップに電力を供給するように、コイルに中間タップを追加し且つ対応する整流モジュールを追加することにより、無線受信チップの損失を効果的に低減することができ、発熱を減少する。
【図面の簡単な説明】
【００１９】
本出願の上記及び/又は追加された様態及び利点は、以下の添付された図面を参照して実施形態を説明することにより、明らかになり、理解し易くなる。
【図１】図１は、従来の無線充電システムの構造を示す概略図である。
【図２】図２は、本発明の一実施形態に係わる無線充電受信装置の構造を示す概略図である。
【図３】図３は、本発明の別の実施形態に係わる無線充電受信装置の構造を示す概略図である。
【図４】図４は、本発明のさらに別の実施形態に係わる無線充電受信装置の構造を示す概略図である。
【図５】図５は、本発明のさらに別の実施形態に係わる無線充電受信装置の構造を示す概略図である。
【図６】図６は、本発明の一実施形態に係わる無線充電受信装置の構造を示す概略図である。
【図７】図７は、本発明の別の実施形態に係わる無線充電受信装置の構造を示す概略図である。
【図８】図８は、本発明のさらに別の実施形態に係わる無線充電受信装置の構造を示す概略図である。
【図９】図９は、本発明の一実施形態に係わる無線充電受信装置の構造を示す概略図である。
【図１０】図１０は、本発明の別の実施形態に係わる無線充電受信装置の構造を示す概略図である。
【発明を実施するための形態】
【００２０】
本出願の実施形態において、無線充電技術で被充電機器を充電する。無線充電技術は充電ケーブルがなくても電力を伝送することができ、充電準備段階の操作を簡素化することができる。
【００２１】
従来の無線充電技術では、一般的に電源装置（アダプタなど）と無線充電送信装置（無線充電台座など）を接続して、前記無線充電送信装置によって電源装置の出力電力を無線方式（電磁信号又は電磁波など）で被充電機器に送信して、被充電機器に対して無線充電を行う。異なる無線充電原理によって、無線充電方式は主に３つのタイプ、即ち磁気結合（又は電磁誘導）、磁気共鳴、及び無線電波に分けられる。現在、主流の無線充電規格は、ＱＩ規格、ＰＭＡ（ｐｏｗｅｒ ｍａｔｔｅｒｓ ａｌｌｉａｎｃｅ）規格、無線電力アライアンス（ａｌｌｉａｎｃｅ ｆｏｒ ｗｉｒｅｌｅｓｓ ｐｏｗｅｒ，Ａ４ＷＰ）規格を含む。ＱＩ規格及びＰＭＡ規格はいずれも磁気結合方式で無線充電を行う。Ａ４ＷＰ規格は磁気共鳴方式で無線充電を行う。
【００２２】
以下、図１を参照して、従来の無線充電方式を紹介する。
【００２３】
図１に示されたように、無線充電システムは、電源装置１１０と、無線充電送信装置１２０と、被充電機器１３０と、を備える。無線充電送信装置１２０は、例えば、無線充電台座であることができる。被充電機器１３０は、例えば、端末であることができる。
【００２４】
電源装置１１０が無線充電送信装置１２０に接続されると、電源装置１１０の出力電流は無線充電装置１２０に伝送されることができる。無線充電送信装置１２０はその内部の無線送信回路１２１を介して電源装置１１０の出力電流を電磁信号（又は電磁波）に変換して送信することができる。例えば、無線送信回路１２１は電源装置１１０の出力電流を交流電流（ＡＣ）に変換し、且つ送信コイル又は送信アンテナ（図示せず）によって交流電流を電磁信号に変換することができる。
【００２５】
被充電機器１３０は、無線受信回路１３１によって無線送信回路１２１から送信する電磁信号を受信し、且つこの電磁信号を無線受信回路１３１の出力電圧及び出力電流に変換することができる。例えば、無線受信回路１３１は、受信コイル又は受信アンテナ１３１１及び無線受信チップ１３１２を含むことができる。無線受信チップ１３１２は、整流回路１３１２１、降圧モジュール１３１２２及び受信チップシステムモジュール１３１２３を含むことができる。受信コイル又は受信アンテナ１３１１は、無線送信回路１２１から送信する電磁信号を交流電流に変換し、且つ整流回路１３１２１によって交流電流に対して整流及び/又はフィルタリングなどの操作を行って、交流電流を無線受信回路１３１の出力電圧と出力電流に変換することができる。さらに、受信チップシステムモジュール１３１２３（無線受信チップ１３１２内部のコントローラ、タイマーなど）に電力を供給するように、即ち、無線受信チップ１３１２に電力を供給するように、降圧モジュール１３１２２は整流回路１３１２１の出力電圧に対して降圧処理を行うことができる。
【００２６】
被充電機器１３０内のバッテリ１３３の予想充電電圧及び/又は充電電流を獲得するために、無線受信回路１３１の出力電圧はバッテリ１３３の両端に直接に印加することには適していなく、先ず被充電機器１３０内の変換回路１３２によって変換することを必要とする。
【００２７】
一実施形態として、変換回路１３２は、充電集積回路（ｉｎｔｅｇｒａｔｅｄ ｃｉｒｃｕｉｔ，ＩＣ）のような充電管理モジュールであることができる。バッテリ１３３の充電過程で、変換回路１３２はバッテリ１３３の充電電圧及び/又は充電電流を管理することができる。変換回路１３２は、バッテリ１３３の充電電圧及び/又は充電電流を管理するために、電圧フィードバック機能及び/又は電流フィードバック機能を含むことができる。例えば、バッテリの充電過程は、トリクル充電段階、定電流充電段階及び定電圧充電段階のうちの少なくとも１つを含むことができる。トリクル充電段階において、変換回路１３２は電流フィードバック機能を利用して、トリクル充電段階でバッテリ１３３に流れる電流がバッテリ１３３の予想充電電流の大きさ（例えば、第一充電電流）を満足することにする。定電流充電段階において、変換回路１３２は電流フィードバック機能を利用して、定電流充電段階でバッテリ１３３に流れる電流がバッテリ１３３の予想充電電流の大きさ（例えば、第二充電電流であり、第二充電電流は第一充電電流より大きいことができる）を満足することにする。定電圧充電段階において、変換回路１３２は電圧フィードバック機能を利用して、定電圧充電段階でバッテリ１３３の両端に印加された電圧の大きさがバッテリ１３３の予想充電電圧の大きさを満足することにする。
【００２８】
一実施形態において、無線受信回路１３１の出力電圧がバッテリ１３３の予想充電電圧よりも高い場合、降圧変換後の充電電圧がバッテリ１３３の予想充電電圧需要を満たすように、変換回路１３２は無線受信回路１３１の出力電圧に対して降圧処理を行うことができる。無線受信回路１３１の出力電圧は、例えば、５Ｖの一定電圧であり、バッテリ１３３が単一のセル（リチウムバッテリセルを例に挙げると、単一のセルの充電カットオフ電圧は、一般的に４．２Ｖである）を含む場合、変換回路１３２（例えば、Ｂｕｃｋ降圧回路）は無線受信回路１３１の出力電圧に対して降圧処理を行うことができ、従って降圧してから獲得した充電電圧がバッテリ１３３の予想充電電圧需要を満たすようにする。
【００２９】
他の実施形態において、無線受信回路１３１の出力電圧がバッテリ１３３の予想充電電圧より低い場合、昇圧変換後の充電電圧がバッテリ１３３の予想充電電圧需要を満たすように、変換回路１３２は無線受信回路１３１の出力電圧に対して昇圧処理を行うことができる。無線受信回路１３１の出力電圧は、例えば、５Ｖの一定電圧であり、バッテリ１３３が直列に接続された２つ以上の単セル（リチウムバッテリセルを例に挙げると、単一のセルの充電カットオフ電圧は、一般的に４．２Ｖである）を含む場合、変換回路１３２（例えば、Ｂｏｏｓｔ昇圧回路）は無線受信回路１３１の出力電圧に対して昇圧処理を行うことができ、従って昇圧してから獲得した充電電圧がバッテリ１３３の予想充電電圧需要を満たすようにする。
【００３０】
上述したように、降圧モジュール１３１２２によって受信チップシステムモジュール１３１２３に電力を供給し、降圧モジュール１３１２２は直接に整流回路１３１２１から電力を受け取る。一般的に、受信チップシステムモジュール１３１２３は、低い作動電圧（１．８Ｖ又は３．３Ｖなど）を有する。整流回路１３１２１の出力電圧が高い（１５Ｖなど）場合、降圧モジュール１３１２２の入力電圧と出力電圧との間の電圧差が大きいので、降圧モジュール１３１２２の損失が非常に大きく、その結果、無線受信チップ１３１２の発熱も深刻になる。
【００３１】
上述した問題を解決するために、本出願の実施形態は無線充電受信装置を提供する。無線充電受信装置では、受信コイルに中間タップを追加し（又は受信アンテナに中間位置を追加し）且つ対応する整流モジュールを追加することにより、中間タップ及び対応する整流モジュールによって無線受信チップに電力を供給し、コイルの中間タップは整流モジュールの出力電圧に基づいて調整することができ、従って降圧モジュール２６０の入力電圧と出力電圧との間の電圧差を大幅に低減することがで、さらに降圧モジュール２６０の損失を低減し、無線受信チップの発熱を減少する。
【００３２】
以下、図２を参照して、本出願の実施形態に係わる無線充電受信装置２００に対して詳細に説明する。
【００３３】
図２を参照すると、本出願の実施形態に係わる無線充電受信装置２００は、コイル２１０と、第一整流モジュール２２０と、第二整流モジュール２３０と、充電モジュール２４０と、無線受信チップ電力供給モジュール２５０と、を含む。
【００３４】
１つの実施形態において、コイル２１０は、無線充電送信装置の無線送信回路によって送信された電磁信号をＡＣに変換するために用いられる。コイル２１０は、第一端Ａ１、第二端Ａ２及び中間タップＡ３を含み、第一端Ａ１と第二端Ａ２と間のコイルは第一電圧を提供し、第一端Ａ１と中間タップＡ３との間のコイルは第二電圧を提供し、第一電圧は第二電圧より高い。つまり、無線充電受信装置２００は無線充電送信装置から送信された電磁信号を受信すると、第一端Ａ１と第二端Ａ２と間のコイルによって、電磁信号を第一ＡＣ（電圧は第一電圧である）に変換することができ、第一端Ａ１と中間タップＡ３との間のコイルによって、電磁信号を第二ＡＣ（電圧は第二電圧である）に変換することができる。
【００３５】
説明しなければならないことは、図２に示された実施形態において、取替え方式として、コイル２１０はアンテナで替えることができる。コイル２１０第一端Ａ１、第二端Ａ２及び中間タップＡ３は、それぞれアンテナの３つの異なる位置に対応し、３つの異なる位置によって、異なる電圧範囲のＡＣを得ることができる。
【００３６】
第一整流モジュール２２０は、コイル２１０の第一端Ａ１及び第二端Ａ２に接続される。第二整流モジュール２３０は、コイル２１０の第一端Ａ１及び中間タップＡ３に接続される。充電モジュール２４０は、第一整流モジュール２２０に接続され、第一電圧に基づいてバッテリ３００を充電するために用いられる。無線受信チップ電力供給モジュール２５０は、第二整流モジュール２３０に接続され、第二電圧に基づいて無線受信チップに電力を供給するために用いられる。具体的には、図２に示されたように、バッテリ３００を充電するとき、第一整流モジュール２２０は、コイル２１０の第一端Ａ１及び第二端Ａ２から出力される第一ＡＣを第一ＤＣに変換し、第一ＤＣを充電モジュール２４０に出力する。充電モジュール２４０は、バッテリ３００を充電するように、第一ＤＣをバッテリ３００の予想充電電圧及び/又は予想充電電流に変換する。同時に、第二整流モジュール２３０は、コイル２１０の第一端Ａ１及び中間タップＡ３から出力される第二ＡＣを第二ＤＣに変換し、第二ＤＣを無線受信チップ電力供給モジュール２５０に出力し、無線受信チップ電力供給モジュール２５０は無線受信チップに電力を供給する。
【００３７】
説明しなければならないことは、無線受信チップの作動電圧に応じて中間タップＡ３の位置を確定することができ、無線受信チップの損失を最小化し、従って無線受信チップの発熱を大幅に低減することができる。１つの例示として、無線受信チップが必要とする電圧は１．８Ｖ、３．３Ｖなどであり、異なる電圧要件に応じて異なる中間タップ位置を設定することができる。即ち、無線受信チップの異なるモジュールに異なる電圧を印加するように、複数の中間タップＡ３が提供される。別の例示として、無線受信チップの最小電圧要件に応じて中間タップＡ３の位置を設定することができる。無線受信チップにおける高い電圧要件を持つモジュールは、昇圧してからそれに電力を供給することができる。あるいは、無線受信チップの最大電圧要件に応じて中間タップＡ３の位置を設定することができる。無線受信チップにおける低い電圧要件を持つモジュールは、降圧してからそれに電力を供給することができる。いくつかの実施形態において、図３に示されたように、無線充電受信装置２００は、降圧モジュール２６０をさらに含む。降圧モジュール２６０は、第二整流モジュール２３０と無線受信チップ電力供給モジュール２５０との間に接続され、第二電圧を第三電圧に降圧して、無線受信チップに電力を供給するために用いられる。
【００３８】
具体的には、コイル２１０の中間タップＡ３の位置を調整することにより、第二整流モジュール２３０の出力電圧を調整して、無線受信チップの損失をできるかぎり低減し、従って無線受信チップの発熱を大幅に低減することができる。しかしながら、無線受信チップの作動電圧が低い場合（例えば、１．８Ｖである）、コイル２１０の中間タップＡ３の位置と第一端Ａ１との間の距離は短く、その結果、受信できる無線電気エネルギーは弱く、且つ第二整流モジュール２３０のパワースイッチトランジスタなどの影響によって、無線受信チップの作動電圧と一致する電圧を直接に獲得し難い。従って、いくつかの実装形態において、第二整流モジュール２３０と無線受信チップ電力供給モジュール２５０との間に降圧モジュールを設置し、降圧モジュール２６０によって、第二整流モジュール２３０の出力電圧を無線受信チップの作動電圧に降圧することができる。第二整流モジュール２３０の現在の出力電圧に応じて、コイル２１０の中間タップＡ３の位置を確定するので、降圧モジュール２６０の入力電圧と出力電圧との間の小さな電圧差を確保することができ、従って降圧モジュール２６０の損失が低く、無線受信チップの発熱を減少する。
【００３９】
いくつかの実施形態において、図４に示されたように、無線充電受信装置２００は、マッチングモジュール２７０をさらに含むことができる。マッチングモジュール２７０は、コイル２１０と協同して、電磁信号を異なる電圧のＡＣに変換して出力するために用いられる。
【００４０】
選択的に、いくつかの実施形態において、図４に示されたように、マッチングモジュール２７０は、第一整流モジュール２２０及び第二整流モジュール２３０の入力側の共通結合点の前に設置されることができる。即ち、第一整流モジュール２２０及び第二整流モジュール２３０は１つのマッチングモジュール２７０を共有することができる。マッチングモジュール２７０はコイル２１０の第一端Ａ１と第二端Ａ２との間のコイルと協同して、電磁信号を第一電圧の第一ＡＣに変換して出力する。マッチングモジュール２７０はコイル２１０の第一端Ａ１と中間タップＡ３との間のコイルと協同して、電磁信号を第二電圧の第二ＡＣに変換して出力する。このように、１つのマッチングモジュール２７０を使用して、電磁信号を異なる電圧のＡＣに変換することができ、ハードウェア構造が簡単であり、コストが低い。
【００４１】
なお、第一整流モジュール２２０及び第二整流モジュール２３０は１つのマッチングモジュール２７０を共有する場合、マッチングモジュール２７０は異なる電圧要件を満たすことを必要とするので、マッチングモジュール２７０を設計し難い。従って複数のマッチングモジュール２７０を提供して、設計の困難さを低減することができる。
【００４２】
選択的に、他の実施形態において、図５に示されたように、２つのマッチングモジュール２７０が設置され、２つのマッチングモジュール２７０のそれぞれは、コイル２１０の第一端Ａ１と対応する整流モジュールとの間に設置されている。例えば、マッチングモジュール２７０１は、コイル２１０の第一端Ａ１と第一整流モジュール２２０との間に設置され、コイル２１０の第一端Ａ１と第二端Ａ２との間のコイルと協同して、電磁信号を第一電圧の第一ＡＣに変換して出力する。マッチングモジュール２７０２は、コイル２１０の第一端Ａ１と第二整流モジュール２３０との間に設置され、コイル２１０の第一端Ａ１と中間タップＡ３との間のコイルと協同して、電磁信号を第二電圧の第二ＡＣに変換して出力する。２つのマッチングモジュール２７０によって、電磁信号を異なる電圧のＡＣに変換することができ、設計が簡単である。
【００４３】
本出願の実施形態は、マッチングモジュール２７０の具体的な形態を限定しない。いくつかの実施形態において、図４又は図５に示されたように、マッチングモジュール２７０はキャパシターであることができる。
【００４４】
本出願の実施形態に係わる無線充電受信装置は、コイルに中間タップを追加し且つ対応する整流モジュールを追加して無線受信チップに電力を供給し、従って無線受信チップの損失を効果的に低減することができ、発熱を減少する。
【００４５】
また、上述したように、従来の無線充電技術は、図１に示されるように、通常、無線受信回路１３１に受信コイル又は受信アンテナ１３１１及び整流回路１３１２１を設置して、無線送信回路１２１によって送信された電磁信号を受信し、且つ電磁信号をＡＣに変換し、ＡＣに対して整流及び/又はフィルタリングなどの操作を行って、ＤＣを出力してバッテリ１３３を充電する。しかしながら、受信コイル又は受信アンテナ１３１１及び整流回路１３１２１は、構造が比較的に単一であるので、被充電機器１３０はただ１つの無線充電方案に適用可能であり、例えば、被充電機器１３０は、ただ従来のＱＩ規格に基づく無線充電方案に適用可能であり、その結果、被充電機器１３０の充電互換性が欠如する問題を引き起こす。
【００４６】
上記の問題を解決するために、本出願の実施形態に係わる無線充電受信装置２００は、受信コイルに中間タップを追加し（又は受信アンテナに中間位置を追加し）且つ対応する整流モジュールを追加することにより、中間タップ及び対応する整流モジュールによって被充電機器に異なる無線充電モードを提供し、被充電機器が二種以上の無線充電方案を有することにする。例えば、ＱＩ規格に基づく無線充電方案に加えて、高電圧無線充電方案も採用することができ、従って被充電機器１３０の充電互換性を効果的に向上させることができ、被充電機器の充電がさらに便利になる。
【００４７】
いくつかの実施形態において、図６に示されたように、コイル２１０の中間タップＡ３は第一中間タップＡ３１及び第二中間タップＡ３２を含み、コイル２１０の第一端Ａ１と第一中間タップＡ３１との間のコイルは第二電圧を提供し、コイル２１０の第一端Ａ１と第二中間タップＡ３２との間のコイルは第四電圧を提供し、第二整流モジュール２３０はコイル２１０の第一端Ａ１及び第一中間タップＡ３１に接続される。
【００４８】
いくつかの実施形態において、無線充電受信装置２００は、第三整流モジュール２８０をさらに含む。第三整流モジュール２８０は、コイル２１０の第一端Ａ１及び第二中間タップＡ３２に接続される。充電モジュール２４０は、第三整流モジュール２８０に接続され、第一電圧又は第四電圧に基づいてバッテリ３００を充電するために用いられる。換言すると、本出願の実施形態に係わる無線充電受信装置２００は、異なる無線充電モード、例えば、第一無線充電モード及び第二無線充電モードで動作可能である。第一無線充電モードは高電圧無線充電モードであり、第二無線充電モードは、従来のＱＩ規格に基づく無線充電モードである。
【００４９】
例えば、第一充電モードでバッテリ３００を充電する場合、充電モジュール２４０は第一整流モジュール２２０が作動状態になるように制御し、その結果、第一整流モジュール２２０によって、コイル２１０の第一端Ａ１と第二端Ａ２から出力される第一ＡＣを第一ＤＣに変換して、バッテリ３００を充電する。同時に、充電モジュール２４０は第三整流モジュール２８０が非作動状態になるように制御し、第三整流モジュール２８０がＤＣを出力して後続の回路を損傷することを免れる。第二充電モードでバッテリ３００を充電する場合、充電モジュール２４０は第三整流モジュール２８０が作動状態になるように制御し、且つ第一整流モジュール２２０が非作動状態になるように制御して、バッテリ３００を充電する。このようにして、異なる無線充電方式を実現することができ、充電の互換性を効果的に向上させ、充電はさらに便利になる。
【００５０】
なお、本出願の実施形態において、無線充電受信装置２００は第一無線充電モード又は第二無線充電モードを無差別に採用して被充電機器を充電することではなく、即ち、充電モジュール２４０は第一整流モジュール２２０又は第三整流モジュール２８０を無差別に採用してバッテリ３００を充電することではなく、即ち、充電モジュール２４０は第一電圧又は第四電圧を無差別に印加してバッテリ３００を充電することではなく、現在の無線充電モードを決定するために無線充電送信装置と通信する。
【００５１】
いくつかの実施形態において、図７に示されたように、無線充電受信装置２００はモード判断モジュール２９０をさらに含む。モード判断モジュール２９０は、無線充電送信装置と通信して現在の無線充電モードを獲得し、且つ獲得した無線充電モードに基づいて現在の充電電圧を確定するために用いられる。具体的には、モード判断モジュール２９０は第一無線通信ユニット（図示せず）を含むことができ、第一無線通信ユニットと無線充電送信装置の第二無線通信ユニット（図示せず）は無線通信して現在の無線充電モードを獲得し、且つ獲得した無線充電モードを充電モジュール２４０に伝送する。充電モジュール２４０は、受信された無線充電モードに基づいて、第一整流モジュール２２０又は第三整流モジュール２８０を選択してバッテリ３００を充電し、即ち第一電圧又は第四電圧を選択してバッテリ３００を充電する。
【００５２】
いくつかの実施形態において、モード判断モジュール２９０と無線充電送信装置（又は第一無線通信ユニットと第二無線通信ユニット）との間の無線通信は、双方向無線通信であることができる。双方向無線通信は、通常、受信者は発信者によって開始された通信要求を受信すると、発信者に応答メッセージを送信すること要求する。双方向通信メカニズムによって、通信過程はさらに安全になる。なお、本出願の実施形態は受信者及び発信者を限定しなく、いかなる一方は発信者又は受信者とすることができ、且つ受信者と発信者との間の無線通信方式を限定しなく、例えば、ブルートゥース（ｂｌｕｅｔｏｏｔｈ）、無線忠実度（ｗｉｒｅｌｅｓｓ ｆｉｄｅｌｉｔｙ，Ｗｉ − Ｆｉ）、又は後方散乱（ｂａｃｋｓｃａｔｔｅｒ）変調（又は電力負荷変調）に基づいて無線通信を行うことができる。
【００５３】
いくつかの実施形態において、充電モジュール２４０は、降圧回路（図示せず）を含むことができる。降圧回路は、整流モジュールが出力するＤＣを降圧させて、第一充電電圧と第一充電電流を取得するために用いられる。第一充電電圧及び第一充電電流はバッテリ３００の予想充電電圧及び予想充電電流であることができ、バッテリ３００に直接印加することができる。
【００５４】
いくつかの実施形態において、充電モジュール２４０は、変換回路（図示せず）をさらに含むことができる。変換回路は、整流モジュールが出力するＤＣに対して電圧制御を行って、第二充電電圧及び第二充電電流を取得し、バッテリ３００を充電するために用いられる。変換回路は、電圧を安定化するために用いられる回路と、定電流及び定電圧を実現するために用いられる回路を含むことができる。電圧を安定化するために用いられる回路は整流モジュールに接続され、定電流及び定電圧を実現するために用いられる回路はバッテリ３００に接続される。
【００５５】
いくつかの実施形態において、変換回路によってバッテリ３００を充電するとき、無線充電送信装置は従来のＱＩ規格の無線充電モードで無線充電受信装置２００に対して無線充電することができる。この場合、モード判断モジュール２９０は、受信された無線充電送信装置から送信された従来のＱＩ規格の無線充電モードを充電モジュール２４０に伝送する。充電モジュール２４０は、第三整流モジュール２８０が作動するように制御する。その結果、第三整流モジュール２８０は、コイル２１０の第一端Ａ１及び第二中間タップＡ３２から出力される第四ＡＣを第四ＤＣに変換する。第四ＤＣは変換回路によって変換されてから、バッテリ３００を充電する。
【００５６】
しかしながら、変換回路によってバッテリ３００を充電するとき、例えば、無線充電送信装置が２０Ｗの電力を出力して単一のセルを含むバッテリ３００を充電するとき、無線充電送信装置の無線送信ユニットの入力電圧は５Ｖ、入力電流は４Ａであることを必要とするが、入力電流が４Ａである場合、コイルの発熱を招く、充電効率が低下である。降圧回路を採用して単一のセルを含むバッテリ３００を充電するとき、無線送信ユニットの送信電力が変化しない場合（２０Ｗ）、無線送信ユニットの入力電圧を高めることができ、無線送信ユニットの入力電流を低減することができ、従ってコイルの発熱を減少し、充電効率が向上する。この場合、無線充電送信装置は高電圧低電流の無線充電モードを採用し、即ち高電圧無線充電モードであり、これに対応して、モード判断モジュール２９０は、受信された無線充電送信装置から送信された高電圧無線充電モードを充電モジュール２４０に伝送する。充電モジュール２４０は、第一整流モジュール２２０が作動するように制御する。その結果、第一整流モジュール２２０は、コイル２１０の第一端Ａ１及び第二端Ａ２から出力される第一ＡＣを第一ＤＣに変換する。第一ＤＣは降圧回路によって降圧されてから、バッテリ３００を充電する。
【００５７】
いくつかの実施形態において、降圧回路は様々な実現形式がある。例えば、降圧回路はＢｕｃｋ回路であることができ、又は降圧回路はチャージポンプ（ｃｈａｒｇｅ ｐｕｍｐ）であることができる。チャージポンプは複数のスイッチング素子から構成され、スイッチング素子に電流が流れて発生する熱は非常に小さく、電流が直接に配線に流れることとほぼ同等であるので、チャージポンプを降圧回路として使用する場合、降圧効果を達成することができるだけではなく、発熱も少ない。１つの例示として、降圧回路は、半電圧回路であることができる。降圧回路の発熱をさらに低減するために、降圧回路の入力電圧と出力電圧の比率は２：１に固定される。
【００５８】
いくつかの実施形態において、無線充電送信装置は、電圧変換ユニット（図示せず）を含むことができる。電圧変換ユニットは、無線送信ユニットに供給される電流の電圧が予め設定された条件を満たさない場合、無線送信ユニットに供給される電流に対して電圧変換するために用いられる。電圧変換ユニットの昇圧倍数と降圧回路の降圧倍数は、電源装置が提供できる出力電圧、バッテリ３００が必要とする充電電圧などのパラメータに応じて設定され、両者は同じでもよく、異なってもよく、これに対して限定しない。１つの例示として、電圧変換ユニットの昇圧倍数と降圧回路の降圧倍数を等しく設定することができる。例えば、電圧変換ユニットは電源装置の出力電圧を２倍に昇圧するための昇圧回路であることができ、降圧回路は、整流モジュールの出力電圧を半分に減らす半電圧回路であることができる。
【００５９】
いくつかの実施形態において、電圧変換ユニットの昇圧倍数と降圧回路の降圧倍数の比を１：１に設定することができ、このような設定方式によって、降圧回路の出力電圧及び出力電流はそれぞれ電源装置の出力電圧及び電源装置の出力電流と等しく、制御回路を簡素化することに有利である。一例として、バッテリ３００が必要とする充電電流は５Ａである場合、無線充電送信装置は検出回路によって降圧回路の出力電流が４．５Ａであることを知ると、降圧回路の出力電流が５Ａに達するように、電源装置の出力電力を調整することを必要とする。もし電圧変換ユニットの昇圧倍数と降圧回路の降圧倍数の比が１：１ではないと、電源装置の出力電力を調整する際、降圧回路の現在の出力電流と期待値との間の差に基づいて、電源装置の出力電力の調整値を再び計算することを必要とする。本発明の実施形態は、電圧変換ユニットの昇圧倍数と降圧回路の降圧倍数の比を１：１に設定すると、無線充電受信装置２００は無線充電送信装置の制御ユニットに出力電流を５Ａに増加させるように通知し、従って無線充電経路のフィードバック調整方式が簡単になる。
【００６０】
いくつかの実施形態において、検出回路（図示せず）によって充電モジュール２４０から出力される充電電圧及び/又は充電電流を検出することができ、且つ充電モジュール２４０から出力される充電電圧及び/又は充電電流をモード判断モジュール２９０に伝送して、モード判断モジュール２９０によって充電モジュール２４０から出力される充電電圧及び/又は充電電流を無線充電送信装置にフィードバックするようにする。このように、無線充電送信装置は、フィードバックされた充電電圧及び/又は充電電流に応じて、無線送信回路の送信電力を調整することができ、即ち無線充電モードを調整することができる。
【００６１】
いくつかの実施形態において、無線充電受信装置２００及び無線充電送信装置は、無線送信ユニットの送信電力を調整するために用いられる他の情報を交換することができ、例えば、バッテリ３００温度情報、降圧回路に対応する充電回路の電圧及び/又は電流のピーク値又は平均値を示す情報、電力伝送効率情報などである。
【００６２】
例えば、無線充電受信装置２００は、無線充電送信装置に電力伝送効率情報を送信することができる。無線充電送信装置は、さらに電力伝送効率情報に基づいて無線送信ユニットの送信電力の調整範囲を確定するために用いられる。具体的には、電力伝送効率情報が無線送信ユニットとコイル２１０との間の電力伝送効率が低いことを示す場合、無線充電送信装置は、無線送信ユニットの送信電力の調整範囲を上げることができ、その結果、無線送信ユニットの送信電力が速やかに目標送信電力に到達するようにする。
【００６３】
別の例として、整流モジュールの出力電圧及び/又は出力電流が脈動波形である場合、無線充電受信装置２００は無線充電送信装置に降圧回路に対応する充電回路の出力電圧及び/又は出力電流のピーク値又は平均値を示す情報を送信することができ、無線充電送信装置は降圧回路に対応する充電回路の出力電圧及び/又は出力電流のピーク値又は平均値がバッテリ３００の現在需要とする充電電圧及び/又は充電電流と一致するか否かを判断することができ、もし一致しないと、無線送信ユニットの送信電力を調整することができる。
【００６４】
別の例として、無線充電受信装置２００は、無線充電送信装置にバッテリ３００の温度情報を送信することができる。バッテリ３００の温度が高すぎる場合、無線充電送信装置は無線送信ユニットの送信電力を低減して、無線受信ユニットの出力電流を減少することができ、従ってバッテリ３００の温度を低減する。
【００６５】
いくつかの実施形態において、無線充電受信装置２００と無線充電送信装置は、多い他の通信情報を交換することもできる。一例として、無線充電受信装置２００と無線充電送信装置は、安全保護、異常検出、又は故障処理に使用される情報を交換することができ、例えば、バッテリ３００の温度情報、過電圧保護又は過電流保護に入ることを指示する情報、電力伝送効率情報などである。電力伝送効率情報は、無線送信ユニットとコイル２１０との間の電力伝送効率、コイル２１０と整流モジュールとの間の電力伝送効率を示すために用いられる。
【００６６】
例えば、バッテリ３００の温度が高い過ぎる場合、無線充電受信装置２００及び/又は無線充電送信装置は充電回路が保護状態に入るように制御することができ、例えば、充電回路を制御して無線充電を停止する。別の例では、無線充電送信装置は、無線充電受信装置２００から送信された過電圧保護又は過電流保護を示す情報を受信してから、送信電力を低減するか又は無線送信ユニットが作動を停止するように制御することができる。さらに別の例では、無線充電送信装置は、無線充電受信装置２００から送信された電力伝送効率情報を受信してから、もし電力伝送効率が予め設定された閾値より低い場合、無線送信ユニットが作動を停止するように制御し、ユーザーにこの事件を通知することができ、例えば、ディスプレイスクリーンによって電力伝送効率が低い過ぎると表示するか、又は指示ランプによって電力伝送効率が低い過ぎると指示して、ユーザーが無線充電環境を調整するようにする。
【００６７】
選択的に、いくつかの実施形態において、図７に示されたように、無線充電受信装置２００は、第三スイッチＫ２３、第四スイッチＫ２４及び制御モジュール２０１をさらに含む。第三スイッチＫ２３及び第四スイッチＫ２４は、それぞれ第一整流モジュール２２０及び第三整流モジュール２８０に接続される。制御モジュール２０１は、現在の充電電圧に応じて第三スイッチＫ２３又は第四スイッチＫ２４が閉状態になるように制御するために用いられる。
【００６８】
具体的には、モード判断モジュール２９０は現在必要とする無線充電モードを獲得し、さらに無線充電モードに基づいて現在必要とする充電電圧を獲得した後、この充電電圧を充電モジュール２４０及び制御モジュール２０１の両方に伝送することができる。現在必要とする充電電圧が第一電圧であると仮定すると、コイル２１０の第二端Ａ２が第一整流モジュール２２０に接続されるように、制御モジュール２０１は第三スイッチＫ２３が閉状態になるように制御する。充電モジュール２４０は、第一整流モジュール２２０が作動するように制御して、バッテリ３００を充電する。同時に、コイル２１０の第二中間タップＡ３２が第三整流モジュール２８０から離れるように、制御モジュール２０１は第四スイッチＫ２４が開状態になるように制御する。従って、第三整流モジュール２８０が誤って作動することを効果的に防止することができ、後段の回路に悪影響を与えることを回避することができる。現在必要とする充電電圧が第四電圧であると仮定すると、制御モジュール２０１は第四スイッチＫ２４が閉状態になるように制御する。充電モジュール２４０は、第三整流モジュール２８０が動作するように制御して、バッテリ３００を充電する。同時に、制御モジュール２０１は第三スイッチＫ２３が開状態になるように制御して、第一整流モジュール２２０が誤って作動することを効果的に防止することができ、後段の回路に悪影響を与えることを回避することができる。このように、第三スイッチＫ２３及び第四スイッチＫ２４を制御することにより、第一整流モジュール２２０又は第三整流モジュール２８０が誤って作動することを効果的に防止することができ、後段の回路に悪影響を与えず、無線充電受信装置２００の作業時の安全を確保することができる。
【００６９】
なお、本出願の実施形態において、モード判断モジュール２９０及び制御モジュール２０１は、別々に設置されてもよく、充電モジュール２４０に統合されてもよい。充電モジュール２４０は、充電管理モジュールであり、無線充電受信装置２００全体に対する制御、管理等の機能が統合されることができる。
【００７０】
さらに、本出願の実施形態において、コイル２１０の第二中間タップＡ３２及び第三整流モジュール２８０の数量は１つであることができ、複数であることもでき、具体的な数量は限定されない。
【００７１】
いくつかの実施態様において、図８に示されたように、コイル２１０は複数の第二中間タップＡ３２を有し、これに対応して複数の第三整流モジュール２８０が提供される。コイル２１０の第一端Ａ１と異なる位置の第二中間タップ（Ａ３２１、．．．、Ａ３２Ｎなど）との間のコイルは、異なる電圧を提供する。例えば、コイル２１０の第一端Ａ１と第二中間タップＡ３２１との間のコイルは第四電圧を提供し、．．．、コイル２１０の第一端Ａ１と第二中間タップＡ３２Ｎとの間のコイルは第Ｎ＋３電圧を提供する。第三整流モジュール２８０１はコイル２１０の第一端Ａ１及び第二中間タップＡ３２１に接続され、第三整流モジュール２８０１の作動電圧と第四電圧は配合して、第二無線充電モードに適合するようにする。同様に、第三整流モジュール２８０Ｎはコイル２１０の第一端Ａ１及び第二中間タップＡ３２Ｎに接続され、第三整流モジュール２８０Ｎの作動電圧は第Ｎ＋３電圧と配合して、第Ｎ＋１無線充電モードに適合するようにする。
【００７２】
換言すると、図８に示された実施形態において、コイル２１０はＮ個の第二中間タップを有し、Ｎ個の第三整流モジュール２８０が含まれる（Ｎ≧２）。コイル２１０の第一端Ａ１、第二端Ａ２と第一整流モジュール２２０は、第一無線充電モードと互換性があるように構成され、第二中間タップＡ３２１と第三整流モジュール２８０１は、第二無線充電モードと互換性があるように構成され、．．．、第二中間タップＡ３２Ｎと第三整流ユニット２８０Ｎは、第Ｎ＋１無線充電モードと互換性があるように構成される。無線充電受信装置２００は２つ以上の無線充電モードを提供することができ、被充電機器はさらに多い無線充電方案と互換性があり、充電をより便利にすることができる。なお、第二中間タップ及び第三整流モジュールがすべて複数である場合、それに対応する充電制御過程は、上記の説明を参照することができ、ここでは繰り返さない。
【００７３】
他の実施形態において、１つの第二中間タップＡ３２及び１つの第三整流モジュール２８０を設置することにより、同様に複数の第二中間タップ及び複数の第三整流モジュールを設置するときの機能を実現することができ、即ち図７に示された構造で図８が有する機能を実現することができる。この場合、第二中間タップＡ３２は非固定タップであり、即ちコイル２１０の巻数は調整可能である。従って、異なる無線充電モードを採用する場合、制御モジュール２０１は、現在必要とする無線充電モードに基づいて、第二中間タップＡ３２の位置を調整することにより、第一端Ａ１と第二中間タップＡ３２との間のコイル２１０の巻数がちょうど現在の無線充電モードに対応する巻数と等しくなるようにするとともに、現在必要とする無線充電モードに適合するように第三整流モジュール２８０の作動電圧を調整する。このように、１つの第二中間タップＡ３２及び１つの第三整流モジュール２８０によって様々な無線充電モードの要件を満たすことができる。複数の第二中間タップ及び複数の第三整流モジュールの方案と比較すると、構造が簡単であり、体積が小さく、コストが低い美点を有する。
【００７４】
換言すると、本出願の実施態様において、第二中間タップＡ３２は非固定タップであることができ、即ちコイルの巻数は調整可能である。代わりに、複数の第二中間タップを設置することができ、即ちコイルの巻数を固定する。どの方式を採用するかは、実際の需要に応じて選択することができる。
【００７５】
図８に示された実施形態において、無線充電受信装置２００は、無線充電受信装置２００の全ての整流モジュールが共有する１つのマッチングモジュール２７０を含む。しかしながら、他の実装形態において、無線充電受信装置２００は複数のマッチングモジュール２７０を含むことができる。具体的に図５を参照することができ、ここでは繰り返さない。
【００７６】
本出願の実施形態に係わる無線充電受信装置は、コイルに少なくとも１つの第二中間タップを追加し、且つ少なくとも1つの第三整流モジュールを追加することにより、被充電機器（移動端末など）に異なる無線充電モードを提供することができ、被充電装置は２つ以上の無線充電方案と互換性があることができ、従って被充電機器の充電はより便利になる。
【００７７】
上述した問題を解決するために、本出願の実施形態の無線充電受信装置２００は、受信コイルに中間タップを追加し（又は受信アンテナに中間位置を追加し）且つ対応する制御スイッチを追加することにより、中間タップ及び対応する制御スイッチによって被充電機器に異なる無線充電モードを提供し、被充電機器は２つ以上の無線充電方案と互換性があることができる。例えば、従来のＱＩ規格の無線充電方案と互換性があることに加えて、高電圧無線充電方案と互換性があるので、被充電機器の充電互換性を効果的に向上させることができ、被充電機器の充電がより便利になる。
【００７８】
いくつかの実施形態において、 図９に示されたように、コイル２１０の中間タップＡ３は第一中間タップＡ３１及び第二中間タップＡ３２を含み、コイル２１０の第一端Ａ１と第一中間タップＡ３１との間のコイルは第二電圧を提供し、コイル２１０の第一端Ａ１と第二中間タップＡ３２との間のコイルは第四電圧を提供する。第二整流モジュール２３０は、コイル２１０の第一端Ａ１及び第一中間タップＡ３１に接続される。
【００７９】
いくつかの実施形態において、無線充電受信装置２００は、第一スイッチＫ２１及び第二スイッチＫ２２をさらに含み、第一スイッチＫ２１はコイル２１０の第二端Ａ２に接続され、第二スイッチＫ２２は第二中間タップＡ３２に接続され、第一整流モジュール２２０は第一スイッチＫ２１及び第二スイッチＫ２２に接続され、充電モジュール２４０は第一電圧又は第四電圧に基づいてバッテリ３００を充電するために用いられ、制御モジュール２０１は第一スイッチＫ２１及び第二スイッチＫ２２を制御するために用いられる。
【００８０】
例えば、第一無線充電モードでバッテリ３００を充電する場合、コイル２１０の第二端Ａ２が第一整流モジュール２２０に接続されるように、制御モジュール２０１は、第一スイッチＫ２１が閉状態になるように制御し、且つ第二スイッチＫ２２が開状態になるように制御する。このとき、コイル２１０の第一端Ａ１及び第二端Ａ２から出力される第一ＡＣは、第一整流モジュール２２０に伝送される。充電モジュール２４０は第一整流モジュール２２０が第一作動状態になるように制御して、第一整流モジュール２２０は第一ＡＣを第一ＤＣに変換して、バッテリ３００を充電する。第二無線充電モードでバッテリ３００を充電する場合、コイル２１０の第二中間タップＡ３２が第一整流モジュール２２０に接続されるように、制御モジュール２０１は、第一スイッチＫ２１が開状態になるように制御し、且つ第二スイッチＫ２２が閉状態になるように制御する。このとき、コイル２１０の第一端Ａ１及び第二中間タップＡ３２から出力される第二ＡＣは、第一整流モジュール２２０に伝送される。充電モジュール２４０は第一整流モジュール２２０が第二作動状態になるように制御して、第一整流モジュール２２０は第二ＡＣを第二ＤＣに変換して、バッテリ３００を充電する。このようにして、第一スイッチＫ２１及び第二スイッチＫ２２によって、１つの第一整流モジュール２２０のみで異なる無線充電モードを実現し、異なる無線充電方案の要件を満たすことができ、充電互換性を効果的に向上させることができ、被充電機器の充電がより便利になる。図７に示された実施形態と比較すると、整流モジュールの使用数量を減らすことができ、コストを節約する。
【００８１】
なお、本願の実施形態において、無線充電受信装置２００は第一無線充電モード又は第二無線充電モードを無差別に採用して被充電機器を充電することではなく、即ち、制御モジュール２０１は第一スイッチＫ２１又は第二スイッチＫ２２を無差別に閉状態になるように制御することではなく、現在の無線充電モードを決定するために無線充電送信装置と通信する。
【００８２】
いくつかの実施形態において、 図１０に示されたように、無線充電受信装置２００は、現在の無線充電モードを獲得するように無線充電送信装置と通信し且つ現在の無線充電モードに基づいて現在の充電電圧を確定するモード判断モジュール２９０をさらに含む。具体的には、前述の説明を参照することができ、ここでは繰り返さない。
【００８３】
さらに、本出願の実施形態において、コイル２１０の第二中間タップＡ３２及び第二スイッチＫ２２の数量は１つであることができ、複数であることもでき、具体的な数量は限定されない。
【００８４】
いくつかの実施形態において、図１０に示されたように、コイル２１０は複数の第二中間タップＡ３２を有し、これに対応して複数の第二スイッチが提供される。コイル２１０の第一端Ａ１と異なる位置の第二中間タップ（Ａ３２１、．．．、Ａ３２Ｎなど）との間のコイルは、異なる電圧を提供する。例えば、コイル２１０の第一端Ａ１と第二中間タップＡ３２１との間のコイルは第四電圧を提供し、．．．、コイル２１０の第一端Ａ１と第二中間タップＡ３２Ｎとの間のコイルは第Ｎ＋３電圧を提供する。第二スイッチＫ２２１はコイル２１０の第二中間タップＡ３２１及び第一整流モジュール２２０に接続され、第二スイッチＫ２２１が閉じているとき、第二無線充電モードに適合するように、第一整流モジュール２２０の作動電圧と第四電圧は配合し、．．．、第二スイッチＫ２２Ｎはコイル２１０の第二中間タップＡ３２Ｎ及び第一整流モジュール２２０接続され、第二スイッチＫ２２Ｎが閉じているとき、第Ｎ＋１無線充電モードに適合するように、第一整流モジュール２２０の作動電圧と第Ｎ＋３電圧は配合する。
【００８５】
換言すると、図１０に示された実施形態において、コイル２１０はＮ個の第二中間タップを有し、Ｎ個の第二スイッチが含まれる（Ｎ≧２）。コイル２１０の第一端Ａ１、第二端Ａ２と第一整流モジュール２２０は、第一無線充電モード（例えば、高電圧無線充電モードである）と互換性があるように構成され、第二中間タップＡ３２１及び第二スイッチＫ２２１は、第二無線充電モードと互換性があるように構成され、．．．、第二中間タップＡ３２Ｎと第二スイッチＫ２２Ｎは、第Ｎ＋１無線充電モード（例えば、従来のＱＩ規格の無線充電モードである）と互換性があるように構成される。無線充電受信装置２００は２つ以上の無線充電モードを提供することができ、被充電機器はさらに多い無線充電方案と互換性があり、充電をより便利にすることができる。なお、第二中間タップ及び第二スイッチがすべて複数である場合、それに対応する充電制御過程は、上記の説明を参照することができ、ここでは繰り返さない。
【００８６】
他の実施形態において、１つの第二中間タップＡ３２を設置することにより、同様に複数の第二中間タップを設置するときの機能を実現することができ、即ち図９に示された構造で図１０が有する機能を実現することができる。この場合、第二中間タップＡ３２は非固定タップであり、即ちコイル２１０の巻数は調整可能である。従って、異なる無線充電モードを採用する場合、制御モジュール２０１は、現在必要とする無線充電モードに基づいて、第二中間タップＡ３２の位置を調整することにより、第一端Ａ１と第二中間タップＡ３２との間のコイル２１０の巻数がちょうど現在の無線充電モードに対応する巻数と等しくなるようにするとともに、現在必要とする無線充電モードに適合するように第一整流モジュール２２０の作動電圧を調整する。このように、１つの第二中間タップＡ３２によって様々な無線充電モードの要件を満たすことができる。複数の第二中間タップの方案と比較すると、構造が簡単であり、体積が小さく、コストが低い美点を有する。
【００８７】
換言すると、本出願の実施態様において、第二中間タップＡ３２は非固定タップであることができ、即ちコイルの巻数は調整可能である。代わりに、複数の第二中間タップを設置することができ、即ちコイルの巻数を固定する。どの方式を採用するかは、実際の需要に応じて選択することができる。
【００８８】
図１０に示された実施形態において、無線充電受信装置２００は、無線充電受信装置２００の全ての整流モジュールが共有する１つのマッチングモジュール２７０を含む。しかしながら、他の実装形態において、無線充電受信装置２００は複数のマッチングモジュール２７０を含むことができる。具体的に図５を参照することができ、ここでは繰り返さない。
【００８９】
本出願の実施形態に係わる無線充電受信装置は、コイルに少なくとも１つの第二中間タップを追加し、且つ少なくとも1つの第二スイッチを追加することにより、被充電機器（移動端末など）に異なる無線充電モードを提供することができ、被充電装置は２つ以上の無線充電方案と互換性があることができ、従って被充電機器の充電はより便利になる。
【００９０】
本発明の実施形態において、被充電機器は端末であることができる。この「端末」は、有線回線によって接続される装置及び/又は無線インタフェースを介して通信信号を受信/送信する装置であることができるが、それに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、衛星又はセルラー電話、パーソナル通信システム（ｐｅｒｓｏｎａｌ ｃｏｍｍｕｎｉｃａｔｉｏｎ ｓｙｓｔｅｍ，ＰＣＳ）端末（セルラー無線電話とデータ処理、ファックス及びデータ通信能力を組み合わせることができる）、パーソナルデジタルアシスタント（Ｐｅｒｓｏｎａ  Ｄｉｇｉｔａｌ Ａｓｓｉｓｔａｎｔ, ＰＤＡ）（無線電話（ｒａｄｉｏ ｔｅｌｅｐｈｏｎｅ）、ページャ（ｐａｇｅｒ）、インターネット/イントラネットアクセス（Ｉｎｔｅｒｎｅｔ/Ｉｎｔｒａｎｅｔ ａｃｃｅｓｓ）、ウェブブラウジング（ｗｅｂ ｂｒｏｗｓｉｎｇ）、ノートブック（ｎｏｔｅｂｏｏｋ）、カレンダー（ｃａｌｅｎｄａｒ）及び/又は全地球測位システム（ｇｌｏｂａｌ ｐｏｓｉｔｉｏｎｉｎｇ ｓｙｓｔｅｍ, ＧＰＳ）受信機を備えることができる）及び/又は通常のラップトップ型又はハンドヘルド受信機、又は無線電話機能を備えた他の電子デバイスを備えるが、それに限定されるものではない。また、本発明の実施形態において、被充電機器又は端末は、パワーバンク（ｐｏｗｅｒ ｂａｎｋ）を備えることができる。このパワーバンクは、アダプタによって充電されることができ、従って他の電子装置に電力を供給するためにエネルギーを蓄積することができる。
【００９１】
上述した実施形態において、全部又は一部はソフトウェア、ハードウェア、ファームウェア（ｆｉｒｍｗａｒｅ）、又は任意の他の組み合わせによって実現することができる。ソフトウェアによって実現する場合、全部又は一部は、コンピュータプログラム製品の形式で実現することができる。コンピュータプログラム製品は、１つ又は複数のコンピュータ命令を含む。コンピュータにコンピュータプログラム命令をアップロードして実行される場合、本発明の実装形態のプロセス又は機能の全部又は一部が実行される。コンピュータは、汎用コンピュータ、専用コンピュータ、コンピュータネットワーク、又は他のプログラム可能な装置であることができる。コンピュータ命令は、コンピュータ可読記憶媒体に記憶することができ、又は１つのコンピュータ可読記憶媒体から別のコンピュータ可読記憶媒体に送信することができる。例えば、コンピュータ命令は、有線（例えば、同軸ケーブル、光ファイバ、デジタル加入者線（ｄｉｇｉｔａｌ ｓｕｂｓｃｒｉｂｅｒ ｌｉｎｅ, ＤＳＬ）である）又は無線（赤外線、無線、マイクロ波などである）方式によって、あるウェブサイト、コンピュータ、サーバ、又はデータセンタから別のウェブサイト、コンピュータ、サーバ、又はデータセンタに送信することができる。コンピュータ可読記憶媒体は、コンピュータがアクセスすることができる任意の利用可能な媒体、又は１つ又は複数の利用可能な媒体統合を含むサーバ、データセンタなどのデータ記憶装置であることができる。使用可能な媒体は、磁気媒体（例えば、ソフトディスク、ハードディスク、磁気テープである）、光学媒体（例えば、デジタルビデオディスク（ｄｉｇｉｔａｌ ｖｉｄｅｏ ｄｉｓｃ，ＤＶＤ）である）、又は半導体媒体（例えば、ソリッドステートディスク（ｓｏｌｉｄ ｓｔａｔｅ ｄｉｓｋ，ＳＳＤ）である）などであることができる。
【００９２】
本出願に開示された実施例に基づいて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。当業者は、特定応用ごとに異なる方法を使用して記載される機能を実現できるが、これらの実現は、本発明の範囲を超えると見なされるべきではない。
【００９３】
本願によって提供される幾つかの実施形態において、開示されるシステム、装置及び方法は、他の形態により実現され得ると理解されるべきである。例えば、上記に説明された装置の実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよいし、電気、機械や他の形態であってもよい。
【００９４】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【００９５】
また、本発明に係る各実施例の各機能ユニットは、１つの処理ユニットに集積されてもよいし、物理的に分離された複数のユニットとして存在してもよいし、２つ以上のユニットは１つのユニットに集積してもよい。
【００９６】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【図１】
2021516944.tif 000003
【図２】
2021516944.tif 000004
【図３】
2021516944.tif 000005
【図４】
2021516944.tif 000006
【図５】
2021516944.tif 000007
【図６】
2021516944.tif 000008
【図７】
2021516944.tif 000009
【図８】
2021516944.tif 000010
【図９】
2021516944.tif 000011
【図１０】
2021516944.tif 000012
【手続補正書】
【提出日】令和2年9月16日(2020.9.16)
【手続補正１】
【補正対象書類名】明細書
【補正対象項目名】全文
【補正方法】変更
【補正の内容】
【発明の詳細な説明】
【技術分野】
【０００１】
本発明は、無線充電技術分野に関し、さらに具体的に、無線充電受信装置及び移動端末に関する。
【背景技術】
【０００２】
現在、充電技術分野では、被充電機器は主に有線充電方式で充電されている。
【０００３】
携帯電話を例に挙げると、現在、携帯電話は依然として主に有線充電方式で充電されている。具体的には、携帯電話を充電することを必要とする場合、ユニバーサルシリアルバス（ｕｎｉｖｅｒｓａｌ ｓｅｒｉａｌ ｂｕｓ，ＵＳＢ）ケーブルなどの充電ケーブルによって携帯電話と電源装置を接続することができ、且つこの充電ケーブルによって電源装置の出力電力を携帯電話に伝送して、携帯電話のバッテリを充電する。
【０００４】
被充電機器にとって、有線充電方式は充電ケーブルを使用することを必要とするので、充電準備段階の作業が煩雑になる。従って、無線充電方式は、ユーザーの間で人気が高まっている。しかしながら、従来の無線充電方式は、無線受信チップの大幅な損失を容易に引き起こし、従って無線受信チップの発熱が深刻であり、改善する必要がある。
【発明の概要】
【０００５】
本出願の第一態様において、無線充電受信装置が提供される。無線充電受信装置は、コイルと、第一整流モジュールと、第二整流モジュールと、充電モジュールと、無線受信チップ電力供給モジュールと、を含む。コイルは、第一端、第二端及び中間タップを含み、第一端と第二端と間のコイルは第一電圧を提供し、第一端と中間タップとの間のコイルは第二電圧を提供する。第一整流モジュールは、コイルの第一端及び第二端に接続される。第二整流モジュールは、コイルの第一端及び中間タップに接続される。充電モジュールは、第一整流モジュールに接続され、第一電圧に基づいてバッテリを充電するために用いられる。無線受信チップ電力供給モジュールは、第二整流モジュールに接続され、第二電圧に基づいて無線受信チップに電力を供給するために用いられる。
【０００６】
本出願の第二態様において、移動端末が提供される。移動端末は、上述した無線充電受信装置を含むことができる。移動端末は、バッテリと、無線受信チップと、コイルと、第一整流モジュールと、第二整流モジュールと、充電モジュールと、無線受信チップ電力供給モジュールと、を含む。コイルは、第一端、第二端及び中間タップを含み、第一端と第二端と間のコイルは第一電圧を提供し、第一端と中間タップとの間のコイルは第二電圧を提供する。第一整流モジュールは、コイルの第一端及び第二端に接続される。第二整流モジュールは、コイルの第一端及び中間タップに接続される。充電モジュールは、第一整流モジュール及びバッテリに接続され、第一電圧に基づいてバッテリを充電するために用いられる。無線受信チップ電力供給モジュールは、第二整流モジュール及び無線受信チップに接続され、第二電圧に基づいて無線受信チップに電力を供給するために用いられる。
【図面の簡単な説明】
【０００７】
本出願の上記及び/又は追加された様態及び利点は、以下の添付された図面を参照して実施形態を説明することにより、明らかになり、理解し易くなる。
【図１】図１は、従来の無線充電システムの構造を示す概略図である。
【図２】図２は、本発明の一実施形態に係わる無線充電受信装置の構造を示す概略図である。
【図３】図３は、本発明の別の実施形態に係わる無線充電受信装置の構造を示す概略図である。
【図４】図４は、本発明の別の実施形態に係わる無線充電受信装置の構造を示す概略図である。
【図５】図５は、本発明の別の実施形態に係わる無線充電受信装置の構造を示す概略図である。
【図６】図６は、本発明の別の実施形態に係わる無線充電受信装置の構造を示す概略図である。
【図７】図７は、本発明の別の実施形態に係わる無線充電受信装置の構造を示す概略図である。
【図８】図８は、本発明の別の実施形態に係わる無線充電受信装置の構造を示す概略図である。
【図９】図９は、本発明の別の実施形態に係わる無線充電受信装置の構造を示す概略図である。
【図１０】図１０は、本発明の別の実施形態に係わる無線充電受信装置の構造を示す概略図である。
【発明を実施するための形態】
【０００８】
本出願の実施形態において、無線充電技術で被充電機器を充電する。無線充電技術は充電ケーブルがなくても電力を伝送することができ、充電準備段階の操作を簡素化することができる。
【０００９】
従来の無線充電技術では、一般的に電源装置（アダプタなど）と無線充電送信装置（無線充電台座など）を接続して、前記無線充電送信装置によって電源装置の出力電力を無線方式（電磁信号又は電磁波など）で被充電機器に送信して、被充電機器に対して無線充電を行う。異なる無線充電原理によって、無線充電方式は主に３つのタイプ、即ち磁気結合（又は電磁誘導）、磁気共鳴、及び無線電波に分けられる。現在、主流の無線充電規格は、ＱＩ規格、ＰＭＡ（ｐｏｗｅｒ ｍａｔｔｅｒｓ ａｌｌｉａｎｃｅ）規格、無線電力アライアンス（ａｌｌｉａｎｃｅ ｆｏｒ ｗｉｒｅｌｅｓｓ ｐｏｗｅｒ，Ａ４ＷＰ）規格を含む。ＱＩ規格及びＰＭＡ規格はいずれも磁気結合方式で無線充電を行う。Ａ４ＷＰ規格は磁気共鳴方式で無線充電を行う。
【００１０】
以下、図１を参照して、従来の無線充電方式を紹介する。
【００１１】
図１に示されたように、無線充電システムは、電源装置１１０と、無線充電送信装置１２０と、被充電機器１３０と、を備える。無線充電送信装置１２０は、例えば、無線充電台座であることができる。被充電機器１３０は、例えば、端末であることができる。
【００１２】
電源装置１１０が無線充電送信装置１２０に接続されると、電源装置１１０の出力電流は無線充電装置１２０に伝送されることができる。無線充電送信装置１２０はその内部の無線送信回路１２１を介して電源装置１１０の出力電流を電磁信号（又は電磁波）に変換して送信することができる。例えば、無線送信回路１２１は電源装置１１０の出力電流を交流電流（ＡＣ）に変換し、且つ送信コイル又は送信アンテナ（図示せず）によって交流電流を電磁信号に変換することができる。
【００１３】
被充電機器１３０は、無線受信回路１３１によって無線送信回路１２１から送信する電磁信号を受信し、且つこの電磁信号を無線受信回路１３１の出力電圧及び出力電流に変換することができる。例えば、無線受信回路１３１は、受信コイル又は受信アンテナ１３１１及び無線受信チップ１３１２を含むことができる。無線受信チップ１３１２は、整流回路１３１２１、降圧モジュール１３１２２及び受信チップシステムモジュール１３１２３を含むことができる。受信コイル又は受信アンテナ１３１１は、無線送信回路１２１から送信する電磁信号を交流電流に変換し、且つ整流回路１３１２１によって交流電流に対して整流及び/又はフィルタリングなどの操作を行って、整流回路１３１２１の出力電圧を獲得することができる。さらに、受信チップシステムモジュール１３１２３（無線受信チップ１３１２内部のコントローラ、タイマーなど）に電力を供給するように、即ち、無線受信チップ１３１２に電力を供給するように、降圧モジュール１３１２２は整流回路１３１２１の出力電圧に対して降圧処理を行うことができる。
【００１４】
被充電機器１３０内のバッテリ１３３の予想充電電圧及び/又は充電電流を獲得するために、無線受信回路１３１の出力電圧はバッテリ１３３の両端に直接に印加することには適していなく、先ず被充電機器１３０内の変換回路１３２によって変換することを必要とする。
【００１５】
一実施形態として、変換回路１３２は、充電集積回路（ｉｎｔｅｇｒａｔｅｄ ｃｉｒｃｕｉｔ，ＩＣ）のような充電管理モジュールであることができる。バッテリ１３３の充電過程で、変換回路１３２はバッテリ１３３の充電電圧及び/又は充電電流を管理することができる。変換回路１３２は、バッテリ１３３の充電電圧及び/又は充電電流を管理するために、電圧フィードバック機能及び/又は電流フィードバック機能を含むことができる。例えば、バッテリの充電過程は、トリクル充電段階、定電流充電段階及び定電圧充電段階のうちの少なくとも１つを含むことができる。トリクル充電段階において、変換回路１３２は電流フィードバック機能を利用して、トリクル充電段階でバッテリ１３３に流れる電流がバッテリ１３３の予想充電電流の大きさ（例えば、第一充電電流）を満足することにする。定電流充電段階において、変換回路１３２は電流フィードバック機能を利用して、定電流充電段階でバッテリ１３３に流れる電流がバッテリ１３３の予想充電電流の大きさ（例えば、第二充電電流であり、第二充電電流は第一充電電流より大きいことができる）を満足することにする。定電圧充電段階において、変換回路１３２は電圧フィードバック機能を利用して、定電圧充電段階でバッテリ１３３の両端に印加された電圧の大きさがバッテリ１３３の予想充電電圧の大きさを満足することにする。
【００１６】
一実施形態において、無線受信回路１３１の出力電圧がバッテリ１３３の予想充電電圧よりも高い場合、降圧変換後の充電電圧がバッテリ１３３の予想充電電圧需要を満たすように、変換回路１３２は無線受信回路１３１の出力電圧に対して降圧処理を行うことができる。無線受信回路１３１の出力電圧は、例えば、５Ｖの一定電圧であり、バッテリ１３３が単一のセル（リチウムバッテリセルを例に挙げると、単一のセルの充電カットオフ電圧は、一般的に４．２Ｖである）を含む場合、変換回路１３２（例えば、Ｂｕｃｋ降圧回路）は無線受信回路１３１の出力電圧に対して降圧処理を行うことができ、従って降圧してから獲得した充電電圧がバッテリ１３３の予想充電電圧需要を満たすようにする。
【００１７】
他の実施形態において、無線受信回路１３１の出力電圧がバッテリ１３３の予想充電電圧より低い場合、昇圧変換後の充電電圧がバッテリ１３３の予想充電電圧需要を満たすように、変換回路１３２は無線受信回路１３１の出力電圧に対して昇圧処理を行うことができる。無線受信回路１３１の出力電圧は、例えば、５Ｖの一定電圧であり、バッテリ１３３が直列に接続された２つ以上の単セル（リチウムバッテリセルを例に挙げると、単一のセルの充電カットオフ電圧は、一般的に４．２Ｖである）を含む場合、変換回路１３２（例えば、Ｂｏｏｓｔ昇圧回路）は無線受信回路１３１の出力電圧に対して昇圧処理を行うことができ、従って昇圧してから獲得した充電電圧がバッテリ１３３の予想充電電圧需要を満たすようにする。
【００１８】
上述したように、降圧モジュール１３１２２によって受信チップシステムモジュール１３１２３に電力を供給し、降圧モジュール１３１２２は直接に整流回路１３１２１から電力を受け取る。一般的に、受信チップシステムモジュール１３１２３は、低い作動電圧（１．８Ｖ又は３．３Ｖなど）を有する。整流回路１３１２１の出力電圧が高い（１５Ｖなど）場合、降圧モジュール１３１２２の入力電圧と出力電圧との間の電圧差が大きいので、降圧モジュール１３１２２の損失が非常に大きく、その結果、無線受信チップ１３１２の発熱も深刻になる。
【００１９】
上述した問題を解決するために、本出願の実施形態は無線充電受信装置を提供する。無線充電受信装置では、受信コイルに中間タップを追加し（又は受信アンテナに中間位置を追加し）且つ対応する整流モジュールを追加することにより、中間タップ及び対応する整流モジュールによって無線受信チップに電力を供給し、コイルの中間タップは整流モジュールの出力電圧に基づいて調整することができ、従って降圧モジュール２６０の入力電圧と出力電圧との間の電圧差を大幅に低減することがで、さらに降圧モジュール２６０の損失を低減し、無線受信チップの発熱を減少する。
【００２０】
以下、図２を参照して、本出願の実施形態に係わる無線充電受信装置２００に対して詳細に説明する。
【００２１】
図２を参照すると、本出願の実施形態に係わる無線充電受信装置２００は、コイル２１０と、第一整流モジュール２２０と、第二整流モジュール２３０と、充電モジュール２４０と、無線受信チップ電力供給モジュール２５０と、を含む。
【００２２】
１つの実施形態において、コイル２１０は、無線充電送信装置の無線送信回路によって送信された電磁信号をＡＣに変換するために用いられる。コイル２１０は、第一端Ａ１、第二端Ａ２及び中間タップＡ３を含み、第一端Ａ１と第二端Ａ２と間のコイルは第一電圧を提供し、第一端Ａ１と中間タップＡ３との間のコイルは第二電圧を提供し、第一電圧は第二電圧より高い。つまり、無線充電受信装置２００は無線充電送信装置から送信された電磁信号を受信すると、第一端Ａ１と第二端Ａ２と間のコイルによって、電磁信号を第一ＡＣ（電圧は第一電圧である）に変換することができ、第一端Ａ１と中間タップＡ３との間のコイルによって、電磁信号を第二ＡＣ（電圧は第二電圧である）に変換することができる。
【００２３】
説明しなければならないことは、図２に示された実施形態において、取替え方式として、コイル２１０はアンテナで替えることができる。コイル２１０第一端Ａ１、第二端Ａ２及び中間タップＡ３は、それぞれアンテナの３つの異なる位置に対応し、３つの異なる位置によって、異なる電圧範囲のＡＣを得ることができる。
【００２４】
第一整流モジュール２２０は、コイル２１０の第一端Ａ１及び第二端Ａ２に接続される。第二整流モジュール２３０は、コイル２１０の第一端Ａ１及び中間タップＡ３に接続される。充電モジュール２４０は、第一整流モジュール２２０に接続され、第一電圧に基づいてバッテリ３００を充電するために用いられる。無線受信チップ電力供給モジュール２５０は、第二整流モジュール２３０に接続され、第二電圧に基づいて無線受信チップに電力を供給するために用いられる。具体的には、図２に示されたように、バッテリ３００を充電するとき、第一整流モジュール２２０は、コイル２１０の第一端Ａ１及び第二端Ａ２から出力される第一ＡＣを第一ＤＣに変換し、第一ＤＣを充電モジュール２４０に出力する。充電モジュール２４０は、バッテリ３００を充電するように、第一ＤＣをバッテリ３００の予想充電電圧及び/又は予想充電電流に変換する。同時に、第二整流モジュール２３０は、コイル２１０の第一端Ａ１及び中間タップＡ３から出力される第二ＡＣを第二ＤＣに変換し、第二ＤＣを無線受信チップ電力供給モジュール２５０に出力し、無線受信チップ電力供給モジュール２５０は無線受信チップに電力を供給する。
【００２５】
説明しなければならないことは、無線受信チップの作動電圧に応じて中間タップＡ３の位置を確定することができ、無線受信チップの損失を最小化し、従って無線受信チップの発熱を大幅に低減することができる。１つの例示として、無線受信チップが必要とする電圧は１．８Ｖ、３．３Ｖなどであり、異なる電圧要件に応じて異なる中間タップ位置を設定することができる。即ち、無線受信チップの異なるモジュールに異なる電圧を印加するように、複数の中間タップＡ３が提供される。別の例示として、無線受信チップの最小電圧要件に応じて中間タップＡ３の位置を設定することができる。無線受信チップにおける高い電圧要件を持つモジュールは、昇圧してからそれに電力を供給することができる。あるいは、無線受信チップの最大電圧要件に応じて中間タップＡ３の位置を設定することができる。無線受信チップにおける低い電圧要件を持つモジュールは、降圧してからそれに電力を供給することができる。いくつかの実施形態において、図３に示されたように、無線充電受信装置２００は、降圧モジュール２６０をさらに含む。降圧モジュール２６０は、第二整流モジュール２３０と無線受信チップ電力供給モジュール２５０との間に接続され、第二電圧を第三電圧に降圧して、無線受信チップに電力を供給するために用いられる。
【００２６】
具体的には、コイル２１０の中間タップＡ３の位置を調整することにより、第二整流モジュール２３０の出力電圧を調整して、無線受信チップの損失をできるかぎり低減し、従って無線受信チップの発熱を大幅に低減することができる。しかしながら、無線受信チップの作動電圧が低い場合（例えば、１．８Ｖである）、コイル２１０の中間タップＡ３の位置と第一端Ａ１との間の距離は短く、その結果、受信できる無線電気エネルギーは弱く、且つ第二整流モジュール２３０のパワースイッチトランジスタなどの影響によって、無線受信チップの作動電圧と一致する電圧を直接に獲得し難い。従って、いくつかの実装形態において、第二整流モジュール２３０と無線受信チップ電力供給モジュール２５０との間に降圧モジュールを設置し、降圧モジュール２６０によって、第二整流モジュール２３０の出力電圧を無線受信チップの作動電圧に降圧することができる。第二整流モジュール２３０の現在の出力電圧に応じて、コイル２１０の中間タップＡ３の位置を確定するので、降圧モジュール２６０の入力電圧と出力電圧との間の小さな電圧差を確保することができ、従って降圧モジュール２６０の損失が低く、無線受信チップの発熱を減少する。
【００２７】
いくつかの実施形態において、図４に示されたように、無線充電受信装置２００は、マッチングモジュール２７０をさらに含むことができる。マッチングモジュール２７０は、コイル２１０と協同して、電磁信号を異なる電圧のＡＣに変換して出力するために用いられる。
【００２８】
選択的に、いくつかの実施形態において、図４に示されたように、マッチングモジュール２７０は、第一整流モジュール２２０及び第二整流モジュール２３０の入力側の共通結合点の前に設置されることができる。即ち、第一整流モジュール２２０及び第二整流モジュール２３０は１つのマッチングモジュール２７０を共有することができる。マッチングモジュール２７０はコイル２１０の第一端Ａ１と第二端Ａ２との間のコイルと協同して、電磁信号を第一電圧の第一ＡＣに変換して出力する。マッチングモジュール２７０はコイル２１０の第一端Ａ１と中間タップＡ３との間のコイルと協同して、電磁信号を第二電圧の第二ＡＣに変換して出力する。このように、１つのマッチングモジュール２７０を使用して、電磁信号を異なる電圧のＡＣに変換することができ、無線充電受信装置は、ハードウェア構造が簡単であり、コストが低い。
【００２９】
なお、第一整流モジュール２２０及び第二整流モジュール２３０は１つのマッチングモジュール２７０を共有する場合、マッチングモジュール２７０は異なる電圧要件を満たすことを必要とするので、マッチングモジュール２７０を設計し難い。従って複数のマッチングモジュール２７０を提供して、設計の困難さを低減することができる。
【００３０】
選択的に、他の実施形態において、図５に示されたように、２つのマッチングモジュール２７０が設置され、２つのマッチングモジュール２７０のそれぞれは、コイル２１０の第一端Ａ１と対応する整流モジュールとの間に設置されている。例えば、マッチングモジュール２７０１は、コイル２１０の第一端Ａ１と第一整流モジュール２２０との間に設置され、コイル２１０の第一端Ａ１と第二端Ａ２との間のコイルと協同して、電磁信号を第一電圧の第一ＡＣに変換して出力する。マッチングモジュール２７０２は、コイル２１０の第一端Ａ１と第二整流モジュール２３０との間に設置され、コイル２１０の第一端Ａ１と中間タップＡ３との間のコイルと協同して、電磁信号を第二電圧の第二ＡＣに変換して出力する。２つのマッチングモジュール２７０によって、電磁信号を異なる電圧のＡＣに変換することができ、設計が簡単である。
【００３１】
本出願の実施形態は、マッチングモジュール２７０の具体的な形態を限定しない。いくつかの実施形態において、図４又は図５に示されたように、マッチングモジュール２７０はキャパシターであることができる。
【００３２】
本出願の実施形態に係わる無線充電受信装置は、コイルに中間タップを追加し且つ対応する整流モジュールを追加して無線受信チップに電力を供給し、従って無線受信チップの損失を効果的に低減することができ、発熱を減少する。
【００３３】
また、上述したように、従来の無線充電技術は、図１に示されるように、通常、無線受信回路１３１に受信コイル又は受信アンテナ１３１１及び整流回路１３１２１を設置して、無線送信回路１２１によって送信された電磁信号を受信し、且つ電磁信号をＡＣに変換し、ＡＣに対して整流及び/又はフィルタリングなどの操作を行って、ＤＣを出力してバッテリ１３３を充電する。しかしながら、受信コイル又は受信アンテナ１３１１及び整流回路１３１２１は、構造が比較的に単一であるので、被充電機器１３０はただ１つの無線充電方案に適用可能であり、例えば、被充電機器１３０は、ただ従来のＱＩ規格に基づく無線充電方案に適用可能であり、その結果、被充電機器１３０の充電互換性が欠如する問題を引き起こす。
【００３４】
上記の問題を解決するために、本出願の実施形態に係わる無線充電受信装置２００は、受信コイルに中間タップを追加し（又は受信アンテナに中間位置を追加し）且つ対応する整流モジュールを追加することにより、中間タップ及び対応する整流モジュールによって被充電機器に異なる無線充電モードを提供し、被充電機器が二種以上の無線充電方案を有することにする。例えば、ＱＩ規格に基づく無線充電方案に加えて、高電圧無線充電方案も採用することができ、従って被充電機器１３０の充電互換性を効果的に向上させることができ、被充電機器の充電がさらに便利になる。
【００３５】
いくつかの実施形態において、図６に示されたように、コイル２１０の中間タップＡ３は第一中間タップＡ３１及び第二中間タップＡ３２を含み、コイル２１０の第一端Ａ１と第一中間タップＡ３１との間のコイルは第二電圧を提供し、コイル２１０の第一端Ａ１と第二中間タップＡ３２との間のコイルは第四電圧を提供し、第二整流モジュール２３０はコイル２１０の第一端Ａ１及び第一中間タップＡ３１に接続される。
【００３６】
いくつかの実施形態において、無線充電受信装置２００は、第三整流モジュール２８０をさらに含む。第三整流モジュール２８０は、コイル２１０の第一端Ａ１及び第二中間タップＡ３２に接続される。充電モジュール２４０は、第一整流モジュール２２０及び第三整流モジュール２８０に接続され、第一電圧（第一整流モジュール２２０によって受信する）又は第四電圧（第三整流モジュール２８０によって受信する）に基づいてバッテリ３００を充電するために用いられる。換言すると、本出願の実施形態に係わる無線充電受信装置２００は、異なる無線充電モード、例えば、第一無線充電モード及び第二無線充電モードで動作可能である。第一無線充電モードは高電圧無線充電モードであり、第二無線充電モードは、従来のＱＩ規格に基づく無線充電モードである。
【００３７】
例えば、第一充電モードでバッテリ３００を充電する場合、充電モジュール２４０は第一整流モジュール２２０が作動状態になるように制御し、その結果、第一整流モジュール２２０によって、コイル２１０の第一端Ａ１と第二端Ａ２から出力される第一ＡＣを第一ＤＣに変換して、バッテリ３００を充電する。同時に、充電モジュール２４０は第三整流モジュール２８０が非作動状態になるように制御し、第三整流モジュール２８０がＤＣを出力して後続の回路を損傷することを免れる。第二充電モードでバッテリ３００を充電する場合、充電モジュール２４０は第三整流モジュール２８０が作動状態になるように制御し、且つ第一整流モジュール２２０が非作動状態になるように制御して、バッテリ３００を充電する。このようにして、異なる無線充電方式を実現することができ、充電の互換性を効果的に向上させ、充電はさらに便利になる。図７及び図８に示されたように、制御モジュール及び少なくとも１つのスイッチによって、第一整流モジュール（２２０）及び第三整流モジュール（２８０）を制御することができる。制御モジュールは充電モジュール（２４０）にに統合される。
【００３８】
なお、本出願の実施形態において、無線充電受信装置２００は第一無線充電モード又は第二無線充電モードを無差別に採用して被充電機器を充電することではなく、即ち、充電モジュール２４０は第一整流モジュール２２０又は第三整流モジュール２８０を無差別に採用してバッテリ３００を充電することではなく、即ち、充電モジュール２４０は第一電圧又は第四電圧を無差別に印加してバッテリ３００を充電することではなく、現在の無線充電モードを決定するために無線充電送信装置と通信する。
【００３９】
いくつかの実施形態において、図７に示されたように、無線充電受信装置２００はモード判断モジュール２９０をさらに含む。モード判断モジュール２９０は、無線充電送信装置と通信して現在の無線充電モードを獲得し、且つ獲得した無線充電モードに基づいて現在の充電電圧を確定するために用いられる。具体的には、モード判断モジュール２９０は第一無線通信ユニット（図示せず）を含むことができ、第一無線通信ユニットと無線充電送信装置の第二無線通信ユニット（図示せず）は無線通信して現在の無線充電モードを獲得し、且つ獲得した無線充電モードを充電モジュール２４０に伝送する。充電モジュール２４０は、受信された無線充電モードに基づいて、第一整流モジュール２２０又は第三整流モジュール２８０を選択してバッテリ３００を充電し、即ち第一電圧又は第四電圧を選択してバッテリ３００を充電する。
【００４０】
いくつかの実施形態において、モード判断モジュール２９０と無線充電送信装置（又は第一無線通信ユニットと第二無線通信ユニット）との間の無線通信は、双方向無線通信であることができる。双方向無線通信は、通常、受信者は発信者によって開始された通信要求を受信すると、発信者に応答メッセージを送信すること要求する。双方向通信メカニズムによって、通信過程はさらに安全になる。なお、本出願の実施形態は受信者及び発信者を限定しなく、いかなる一方は発信者又は受信者とすることができ、且つ受信者と発信者との間の無線通信方式を限定しなく、例えば、ブルートゥース（ｂｌｕｅｔｏｏｔｈ）、無線忠実度（ｗｉｒｅｌｅｓｓ ｆｉｄｅｌｉｔｙ，Ｗｉ − Ｆｉ）、又は後方散乱（ｂａｃｋｓｃａｔｔｅｒ）変調（又は電力負荷変調）に基づいて無線通信を行うことができる。
【００４１】
いくつかの実施形態において、図６に示されたように、充電モジュール２４０は、降圧回路を含むことができる。降圧回路は、整流モジュール（ここでは、充電モジュール２４０に接続されている第一整流モジュール２２０又は第三整流モジュール２８０である）が出力するＤＣを降圧させて、第一充電電圧と第一充電電流を取得するために用いられる。第一充電電圧及び第一充電電流はバッテリ３００の予想充電電圧及び予想充電電流であることができ、バッテリ３００に直接印加することができる。
【００４２】
いくつかの実施形態において、図６に示されたように、充電モジュール２４０は、変換回路をさらに含むことができる。変換回路は、整流モジュールが出力するＤＣに対して電圧制御を行って、第二充電電圧及び第二充電電流を取得し、バッテリ３００を充電するために用いられる。変換回路は、電圧を安定化するために用いられる回路（「電圧安定化回路」と略する）と、定電流及び定電圧を実現するために用いられる回路を含むことができる。電圧安定化回路は整流モジュールに接続され、定電流及び定電圧を実現するために用いられる回路はバッテリ３００に接続される。
【００４３】
いくつかの実施形態において、変換回路によってバッテリ３００を充電するとき、無線充電送信装置は従来のＱＩ規格の無線充電モードで無線充電受信装置２００に対して無線充電することができる。この場合、モード判断モジュール２９０は、受信された無線充電送信装置から送信された従来のＱＩ規格の無線充電モードを充電モジュール２４０に伝送する。充電モジュール２４０は、第三整流モジュール２８０が作動するように制御する。その結果、第三整流モジュール２８０は、コイル２１０の第一端Ａ１及び第二中間タップＡ３２から出力される第四ＡＣを第四ＤＣに変換する。第四ＤＣは変換回路によって変換されてからバッテリ３００に印加されて、バッテリ３００を充電する。
【００４４】
しかしながら、変換回路によってバッテリ３００を充電するとき、例えば、無線充電送信装置が２０Ｗの電力を出力して単一のセルを含むバッテリ３００を充電するとき、無線充電送信装置の無線送信ユニットの入力電圧は５Ｖ、入力電流は４Ａであることを必要とするが、入力電流が４Ａである場合、コイルの発熱を招く、充電効率が低下である。降圧回路を採用して単一のセルを含むバッテリ３００を充電するとき、無線送信ユニットの送信電力が変化しない場合（２０Ｗ）、無線送信ユニットの入力電圧を高めることができ、無線送信ユニットの入力電流を低減することができ、従ってコイルの発熱を減少し、充電効率が向上する。この場合、無線充電送信装置は高電圧低電流の無線充電モードを採用し、即ち高電圧無線充電モードであり、これに対応して、モード判断モジュール２９０は、受信された無線充電送信装置から送信された高電圧無線充電モードを充電モジュール２４０に伝送する。充電モジュール２４０は、第一整流モジュール２２０が作動するように制御する。その結果、第一整流モジュール２２０は、コイル２１０の第一端Ａ１及び第二端Ａ２から出力される第一ＡＣを第一ＤＣに変換する。第一ＤＣは降圧回路によって降圧されてからバッテリ３００に印加されて、バッテリ３００を充電する。
【００４５】
いくつかの実施形態において、降圧回路は様々な実現形式がある。例えば、降圧回路はＢｕｃｋ回路であることができ、又は降圧回路はチャージポンプ（ｃｈａｒｇｅ ｐｕｍｐ）であることができる。チャージポンプは複数のスイッチング素子から構成され、スイッチング素子に電流が流れて発生する熱は非常に小さく、電流が直接に配線に流れることとほぼ同等であるので、チャージポンプを降圧回路として使用する場合、降圧効果を達成することができるだけではなく、発熱も少ない。１つの例示として、降圧回路は、半電圧回路であることができる。降圧回路の発熱をさらに低減するために、降圧回路の入力電圧と出力電圧の比率は２：１に固定される。
【００４６】
いくつかの実施形態において、無線充電送信装置は、電圧変換ユニット（図示せず）を含むことができる。電圧変換ユニットは、無線送信ユニットに供給される電流の電圧が予め設定された条件を満たさない場合、無線送信ユニットに供給される電流に対して電圧変換するために用いられる。電圧変換ユニットの昇圧倍数と降圧回路の降圧倍数は、電源装置が提供できる出力電圧、バッテリ３００が必要とする充電電圧などのパラメータに応じて設定され、両者は同じでもよく、異なってもよく、これに対して限定しない。１つの例示として、電圧変換ユニットの昇圧倍数と降圧回路の降圧倍数を等しく設定することができる。例えば、電圧変換ユニットは電源装置の出力電圧を２倍に昇圧するための昇圧回路であることができ、降圧回路は、整流モジュールの出力電圧を半分に減らす半電圧回路であることができる。
【００４７】
いくつかの実施形態において、電圧変換ユニットの昇圧倍数と降圧回路の降圧倍数の比を１：１に設定することができ、このような設定方式によって、降圧回路の出力電圧及び出力電流はそれぞれ電源装置の出力電圧及び電源装置の出力電流と等しく、制御回路を簡素化することに有利である。一例として、バッテリ３００が必要とする充電電流は５Ａである場合、無線充電送信装置は検出回路によって降圧回路の出力電流が４．５Ａであることを知ると、降圧回路の出力電流が５Ａに達するように、電源装置の出力電力を調整することを必要とする。もし電圧変換ユニットの昇圧倍数と降圧回路の降圧倍数の比が１：１ではないと、電源装置の出力電力を調整する際、降圧回路の現在の出力電流と期待値との間の差に基づいて、電源装置の出力電力の調整値を再び計算することを必要とする。本発明の実施形態は、電圧変換ユニットの昇圧倍数と降圧回路の降圧倍数の比を１：１に設定すると、無線充電受信装置２００は無線充電送信装置の制御ユニットに出力電流を５Ａに増加させるように通知し、従って無線充電経路のフィードバック調整方式が簡単になる。
【００４８】
いくつかの実施形態において、図７に示されたように、検出回路によって充電モジュール２４０から出力される充電電圧及び/又は充電電流を検出することができ、且つ充電モジュール２４０から出力される充電電圧及び/又は充電電流をモード判断モジュール２９０に伝送して、モード判断モジュール２９０によって充電モジュール２４０から出力される充電電圧及び/又は充電電流を無線充電送信装置にフィードバックするようにする。このように、無線充電送信装置は、フィードバックされた充電電圧及び/又は充電電流に応じて、無線送信回路の送信電力を調整することができ、即ち無線充電モードを調整することができる。
【００４９】
いくつかの実施形態において、無線充電受信装置２００及び無線充電送信装置は、無線送信ユニットの送信電力を調整するために用いられる他の情報を交換することができ、例えば、バッテリ３００温度情報、降圧回路に対応する充電回路の電圧及び/又は電流のピーク値又は平均値を示す情報、電力伝送効率情報などである。
【００５０】
例えば、無線充電受信装置２００は、無線充電送信装置に電力伝送効率情報を送信することができる。無線充電送信装置は、さらに電力伝送効率情報に基づいて無線送信ユニットの送信電力の調整範囲を確定するために用いられる。具体的には、電力伝送効率情報が無線送信ユニットとコイル２１０との間の電力伝送効率が低いことを示す場合、無線充電送信装置は、無線送信ユニットの送信電力の調整範囲を上げることができ、その結果、無線送信ユニットの送信電力が速やかに目標送信電力に到達するようにする。
【００５１】
別の例として、整流モジュールの出力電圧及び/又は出力電流が脈動波形である場合、無線充電受信装置２００は無線充電送信装置に降圧回路に対応する充電回路の出力電圧及び/又は出力電流のピーク値又は平均値を示す情報を送信することができ、無線充電送信装置は降圧回路に対応する充電回路の出力電圧及び/又は出力電流のピーク値又は平均値がバッテリ３００の現在需要とする充電電圧及び/又は充電電流と一致するか否かを判断することができ、もし一致しないと、無線送信ユニットの送信電力を調整することができる。
【００５２】
別の例として、無線充電受信装置２００は、無線充電送信装置にバッテリ３００の温度情報を送信することができる。バッテリ３００の温度が高すぎる場合、無線充電送信装置は無線送信ユニットの送信電力を低減して、無線受信ユニットの出力電流を減少することができ、従ってバッテリ３００の温度を低減する。
【００５３】
いくつかの実施形態において、無線充電受信装置２００と無線充電送信装置は、多い他の通信情報を交換することもできる。一例として、無線充電受信装置２００と無線充電送信装置は、安全保護、異常検出、又は故障処理に使用される情報を交換することができ、例えば、バッテリ３００の温度情報、過電圧保護又は過電流保護に入ることを指示する情報、電力伝送効率情報などである。電力伝送効率情報は、無線送信ユニットとコイル２１０との間の電力伝送効率、コイル２１０と整流モジュールとの間の電力伝送効率を示すために用いられる。
【００５４】
例えば、バッテリ３００の温度が高い過ぎる場合、無線充電受信装置２００及び/又は無線充電送信装置は充電回路が保護状態に入るように制御することができ、例えば、充電回路を制御して無線充電を停止する。別の例では、無線充電送信装置は、無線充電受信装置２００から送信された過電圧保護又は過電流保護を示す情報を受信してから、送信電力を低減するか又は無線送信ユニットが作動を停止するように制御することができる。さらに別の例では、無線充電送信装置は、無線充電受信装置２００から送信された電力伝送効率情報を受信してから、もし電力伝送効率が予め設定された閾値より低い場合、無線送信ユニットが作動を停止するように制御し、ユーザーにこの事件を通知することができ、例えば、ディスプレイスクリーンによって電力伝送効率が低い過ぎると表示するか、又は指示ランプによって電力伝送効率が低い過ぎると指示して、ユーザーが無線充電環境を調整するようにする。
【００５５】
選択的に、いくつかの実施形態において、図７に示されたように、無線充電受信装置２００は、第三スイッチＫ２３、第四スイッチＫ２４及び制御モジュール２０１をさらに含む。第三スイッチＫ２３は第一整流モジュール２２０及び第二端Ａ２に接続され、第四スイッチＫ２４は第三整流モジュール２８０及び第二中間タップＡ３２に接続される。制御モジュール２０１は、現在の充電電圧に応じて第三スイッチＫ２３又は第四スイッチＫ２４が閉状態（作業状態）になるように制御するために用いられる。具体的には、充電モジュール２４０は、第三スイッチＫ２３が閉じられ、第一整流モジュール２２０が作動状態にあるときに、第一電圧をバッテリ３００に印加するために用いられる。又は、充電モジュール２４０は、第四スイッチＫ２４が閉じられ、第三整流モジュール２８０が作動状態にあるときに、第四電圧をバッテリ３００に印加するために用いられる。
【００５６】
具体的には、モード判断モジュール２９０は現在必要とする無線充電モードを獲得し、さらに無線充電モードに基づいて現在必要とする充電電圧を獲得した後、この充電電圧を充電モジュール２４０及び制御モジュール２０１の両方に伝送することができる。現在必要とする充電電圧が第一電圧であると仮定すると、コイル２１０の第二端Ａ２が第一整流モジュール２２０に接続されるように、制御モジュール２０１は第三スイッチＫ２３が閉状態になるように制御する。充電モジュール２４０は、第一整流モジュール２２０が作動するように制御して、バッテリ３００を充電する。同時に、コイル２１０の第二中間タップＡ３２が第三整流モジュール２８０から離れるように、制御モジュール２０１は第四スイッチＫ２４が開状態になるように制御する。従って、第三整流モジュール２８０が誤って作動することを効果的に防止することができ、後段の回路に悪影響を与えることを回避することができる。現在必要とする充電電圧が第四電圧であると仮定すると、制御モジュール２０１は第四スイッチＫ２４が閉状態になるように制御する。充電モジュール２４０は、第三整流モジュール２８０が動作するように制御して、バッテリ３００を充電する。同時に、制御モジュール２０１は第三スイッチＫ２３が開状態になるように制御して、第一整流モジュール２２０が誤って作動することを効果的に防止することができ、後段の回路に悪影響を与えることを回避することができる。このように、第三スイッチＫ２３及び第四スイッチＫ２４を制御することにより、第一整流モジュール２２０又は第三整流モジュール２８０が誤って作動することを効果的に防止することができ、後段の回路に悪影響を与えず、無線充電受信装置２００の作業時の安全を確保することができる。
【００５７】
なお、本出願の実施形態において、モード判断モジュール２９０及び制御モジュール２０１は、別々に設置されてもよく、充電モジュール２４０に統合されてもよい。充電モジュール２４０は、充電管理モジュールであり、無線充電受信装置２００全体に対する制御、管理等の機能が統合されることができる。
【００５８】
さらに、本出願の実施形態において、コイル２１０の第二中間タップＡ３２及び第三整流モジュール２８０の数量は１つであることができ、複数であることもでき、具体的な数量は限定されない。
【００５９】
いくつかの実施態様において、図８に示されたように、コイル２１０は複数の第二中間タップＡ３２を有し、これに対応して複数の第三整流モジュール２８０が提供される。コイル２１０の第一端Ａ１と異なる位置の第二中間タップ（Ａ３２１、．．．、Ａ３２Ｎなど）との間のコイルは、異なる電圧を提供する。例えば、コイル２１０の第一端Ａ１と第二中間タップＡ３２１との間のコイルは第四電圧を提供し、．．．、コイル２１０の第一端Ａ１と第二中間タップＡ３２Ｎとの間のコイルは第Ｎ＋３電圧を提供する。第三整流モジュール２８０１はコイル２１０の第一端Ａ１及び第二中間タップＡ３２１に接続され、第三整流モジュール２８０１の作動電圧と第四電圧は配合して、第二無線充電モードに適合するようにする。同様に、第三整流モジュール２８０Ｎはコイル２１０の第一端Ａ１及び第二中間タップＡ３２Ｎに接続され、第三整流モジュール２８０Ｎの作動電圧は第Ｎ＋３電圧と配合して、第Ｎ＋１無線充電モードに適合するようにする。
【００６０】
換言すると、図８に示された実施形態において、コイル２１０はＮ個の第二中間タップを有し、Ｎ個の第三整流モジュール２８０が含まれる（Ｎ≧２）。この場合、各々の第三整流モジュールは、コイル２１０の第一端Ａ１及び対応する第二中間タップに接続される。コイル２１０の第一端Ａ１、第二端Ａ２と第一整流モジュール２２０は、第一無線充電モードと互換性があるように構成され、第一端Ａ１、第二中間タップＡ３２１と第三整流モジュール２８０１は、第二無線充電モードと互換性があるように構成され、．．．、第一端Ａ１、第二中間タップＡ３２Ｎと第三整流ユニット２８０Ｎは、第Ｎ＋１無線充電モードと互換性があるように構成される。無線充電受信装置２００は２つ以上の無線充電モードを提供することができ、被充電機器はさらに多い無線充電方案と互換性があり、充電をより便利にすることができる。なお、第二中間タップ及び第三整流モジュールがすべて複数である場合、それに対応する充電制御過程は、上記の説明を参照することができ、ここでは繰り返さない。
【００６１】
他の実施形態において、１つの第二中間タップＡ３２及び１つの第三整流モジュール２８０を設置することにより、同様に複数の第二中間タップ及び複数の第三整流モジュールを設置するときの機能を実現することができ、即ち図７に示された構造で図８が有する機能を実現することができる。この場合、第二中間タップＡ３２は非固定タップであり、位置を調整することができ、即ちコイル２１０の巻数は調整可能である。従って、異なる無線充電モードを採用する場合、制御モジュール２０１は、現在必要とする無線充電モードに基づいて、第二中間タップＡ３２の位置を調整することにより、第一端Ａ１と第二中間タップＡ３２との間のコイル２１０の巻数がちょうど現在の無線充電モードに対応する巻数と等しくなるようにするとともに、現在必要とする無線充電モードに適合するように第三整流モジュール２８０の作動電圧を調整する。このように、１つの第二中間タップＡ３２及び１つの第三整流モジュール２８０によって様々な無線充電モードの要件を満たすことができる。複数の第二中間タップ及び複数の第三整流モジュールの方案と比較すると、構造が簡単であり、体積が小さく、コストが低い美点を有する。
【００６２】
換言すると、本出願の実施態様において、第二中間タップＡ３２は非固定タップであることができ、即ちコイルの巻数は調整可能である。代わりに、複数の第二中間タップを設置することができ、即ちコイルの巻数を固定する。どの方式を採用するかは、実際の需要に応じて選択することができる。
【００６３】
図８に示された実施形態において、無線充電受信装置２００は、無線充電受信装置２００の全ての整流モジュールが共有する１つのマッチングモジュール２７０を含む。しかしながら、他の実装形態において、無線充電受信装置２００は複数のマッチングモジュール２７０を含むことができる。具体的に図５を参照することができ、ここでは繰り返さない。
【００６４】
本出願の実施形態に係わる無線充電受信装置は、コイルに少なくとも１つの第二中間タップを追加し、且つ少なくとも1つの第三整流モジュールを追加することにより、被充電機器（移動端末など）に異なる無線充電モードを提供することができ、被充電装置は２つ以上の無線充電方案と互換性があることができ、従って被充電機器の充電はより便利になる。
【００６５】
上述した問題を解決するために、本出願の実施形態の無線充電受信装置２００は、受信コイルに中間タップを追加し（又は受信アンテナに中間位置を追加し）且つ対応する制御スイッチを追加することにより、中間タップ及び対応する制御スイッチによって被充電機器に異なる無線充電モードを提供し、被充電機器は２つ以上の無線充電方案と互換性があることができる。例えば、従来のＱＩ規格の無線充電方案と互換性があることに加えて、高電圧無線充電方案と互換性があるので、被充電機器の充電互換性を効果的に向上させることができ、被充電機器の充電がより便利になる。
【００６６】
いくつかの実施形態において、 図９に示されたように、コイル２１０の中間タップＡ３は第一中間タップＡ３１及び第二中間タップＡ３２を含み、コイル２１０の第一端Ａ１と第一中間タップＡ３１との間のコイルは第二電圧を提供し、コイル２１０の第一端Ａ１と第二中間タップＡ３２との間のコイルは第四電圧を提供する。第二整流モジュール２３０は、コイル２１０の第一端Ａ１及び第一中間タップＡ３１に接続される。
【００６７】
いくつかの実施形態において、無線充電受信装置２００は、第一スイッチＫ２１及び第二スイッチＫ２２をさらに含み、第一スイッチＫ２１はコイル２１０の第二端Ａ２に接続され、第二スイッチＫ２２は第二中間タップＡ３２に接続され、第一整流モジュール２２０は第一スイッチＫ２１及び第二スイッチＫ２２に接続され、充電モジュール２４０は第一電圧又は第四電圧に基づいてバッテリ３００を充電するために用いられ、制御モジュール２０１は第一スイッチＫ２１及び第二スイッチＫ２２を制御するために用いられる。
【００６８】
例えば、第一無線充電モードでバッテリ３００を充電する場合、コイル２１０の第二端Ａ２が第一整流モジュール２２０に接続されるように、制御モジュール２０１は、第一スイッチＫ２１が閉状態になるように制御し、且つ第二スイッチＫ２２が開状態になるように制御する。このとき、コイル２１０の第一端Ａ１及び第二端Ａ２から出力される第一ＡＣは、第一整流モジュール２２０に伝送される。充電モジュール２４０は第一整流モジュール２２０が第一作動状態になるように制御して、第一整流モジュール２２０は第一ＡＣを第一ＤＣに変換して、バッテリ３００を充電する。第二無線充電モードでバッテリ３００を充電する場合、コイル２１０の第二中間タップＡ３２が第一整流モジュール２２０に接続されるように、制御モジュール２０１は、第一スイッチＫ２１が開状態になるように制御し、且つ第二スイッチＫ２２が閉状態になるように制御する。このとき、コイル２１０の第一端Ａ１及び第二中間タップＡ３２から出力される第二ＡＣは、第一整流モジュール２２０に伝送される。充電モジュール２４０は第一整流モジュール２２０が第二作動状態になるように制御して、第一整流モジュール２２０は第二ＡＣを第二ＤＣに変換して、バッテリ３００を充電する。このようにして、第一スイッチＫ２１及び第二スイッチＫ２２によって、１つの第一整流モジュール２２０のみで異なる無線充電モードを実現し、異なる無線充電方案の要件を満たすことができ、充電互換性を効果的に向上させることができ、被充電機器の充電がより便利になる。図７に示された実施形態と比較すると、整流モジュールの使用数量を減らすことができ、コストを節約する。
【００６９】
なお、本願の実施形態において、無線充電受信装置２００は第一無線充電モード又は第二無線充電モードを無差別に採用して被充電機器を充電することではなく、即ち、制御モジュール２０１は第一スイッチＫ２１又は第二スイッチＫ２２を無差別に閉状態になるように制御することではなく、現在の無線充電モードを決定するために無線充電送信装置と通信する。
【００７０】
いくつかの実施形態において、 図１０に示されたように、無線充電受信装置２００は、現在の無線充電モードを獲得するように無線充電送信装置と通信し且つ現在の無線充電モードに基づいて現在の充電電圧を確定するモード判断モジュール２９０をさらに含む。具体的には、前述の説明を参照することができ、ここでは繰り返さない。
【００７１】
さらに、本出願の実施形態において、コイル２１０の第二中間タップＡ３２及び第二スイッチＫ２２の数量は１つであることができ、複数であることもでき、具体的な数量は限定されない。
【００７２】
いくつかの実施形態において、図１０に示されたように、コイル２１０は複数の第二中間タップＡ３２を有し、これに対応して複数の第二スイッチが提供される。コイル２１０の第一端Ａ１と異なる位置の第二中間タップ（Ａ３２１、．．．、Ａ３２Ｎなど）との間のコイルは、異なる電圧を提供する。例えば、コイル２１０の第一端Ａ１と第二中間タップＡ３２１との間のコイルは第四電圧を提供し、．．．、コイル２１０の第一端Ａ１と第二中間タップＡ３２Ｎとの間のコイルは第Ｎ＋３電圧を提供する。第二スイッチＫ２２１はコイル２１０の第二中間タップＡ３２１及び第一整流モジュール２２０に接続され、第二スイッチＫ２２１が閉じているとき、第二無線充電モードに適合するように、第一整流モジュール２２０の作動電圧と第四電圧は配合し、．．．、第二スイッチＫ２２Ｎはコイル２１０の第二中間タップＡ３２Ｎ及び第一整流モジュール２２０接続され、第二スイッチＫ２２Ｎが閉じているとき、第Ｎ＋１無線充電モードに適合するように、第一整流モジュール２２０の作動電圧と第Ｎ＋３電圧は配合する。
【００７３】
換言すると、図１０に示された実施形態において、コイル２１０はＮ個の第二中間タップを有し、Ｎ個の第二スイッチが含まれる（Ｎ≧２）。コイル２１０の第一端Ａ１、第二端Ａ２と第一整流モジュール２２０は、第一無線充電モード（例えば、高電圧無線充電モードである）と互換性があるように構成され、第二中間タップＡ３２１及び第二スイッチＫ２２１は、第二無線充電モードと互換性があるように構成され、．．．、第二中間タップＡ３２Ｎと第二スイッチＫ２２Ｎは、第Ｎ＋１無線充電モード（例えば、従来のＱＩ規格の無線充電モードである）と互換性があるように構成される。無線充電受信装置２００は２つ以上の無線充電モードを提供することができ、被充電機器はさらに多い無線充電方案と互換性があり、充電をより便利にすることができる。なお、第二中間タップ及び第二スイッチがすべて複数である場合、それに対応する充電制御過程は、上記の説明を参照することができ、ここでは繰り返さない。
【００７４】
他の実施形態において、１つの第二中間タップＡ３２を設置することにより、同様に複数の第二中間タップを設置するときの機能を実現することができ、即ち図９に示された構造で図１０が有する機能を実現することができる。この場合、第二中間タップＡ３２は非固定タップであり、即ちコイル２１０の巻数は調整可能である。従って、異なる無線充電モードを採用する場合、制御モジュール２０１は、現在必要とする無線充電モードに基づいて、第二中間タップＡ３２の位置を調整することにより、第一端Ａ１と第二中間タップＡ３２との間のコイル２１０の巻数がちょうど現在の無線充電モードに対応する巻数と等しくなるようにするとともに、現在必要とする無線充電モードに適合するように第一整流モジュール２２０の作動電圧を調整する。このように、１つの第二中間タップＡ３２によって様々な無線充電モードの要件を満たすことができる。複数の第二中間タップの方案と比較すると、構造が簡単であり、体積が小さく、コストが低い美点を有する。
【００７５】
換言すると、本出願の実施態様において、第二中間タップＡ３２は非固定タップであることができ、即ちコイルの巻数は調整可能である。代わりに、複数の第二中間タップを設置することができ、即ちコイルの巻数を固定する。どの方式を採用するかは、実際の需要に応じて選択することができる。
【００７６】
図１０に示された実施形態において、無線充電受信装置２００は、無線充電受信装置２００の全ての整流モジュールが共有する１つのマッチングモジュール２７０を含む。しかしながら、他の実装形態において、無線充電受信装置２００は複数のマッチングモジュール２７０を含むことができる。具体的に図５を参照することができ、ここでは繰り返さない。
【００７７】
本出願の実施形態に係わる無線充電受信装置は、コイルに少なくとも１つの第二中間タップを追加し、且つ少なくとも1つの第二スイッチを追加することにより、被充電機器（移動端末など）に異なる無線充電モードを提供することができ、被充電装置は２つ以上の無線充電方案と互換性があることができ、従って被充電機器の充電はより便利になる。
【００７８】
本出願の実施形態において、移動端末が提供される。移動端末は、バッテリと、無線受信チップと、図２〜図１０のうちのいずれか１つを参照して説明された無線充電受信装置と、を含む。例示的に、図２に示されたように、移動端末は、バッテリ３００及び無線充電チップを含む。移動端末は、第一端Ａ１、第二端Ａ２及び中間タップＡ３を有するコイル２１０をさらに含む。第一端Ａ１と第二端Ａ２と間のコイルは第一電圧を提供し、第一端Ａ１と中間タップＡ３との間のコイルは第二電圧を提供する。第一電圧は第二電圧より高い。移動端末は、第一整流モジュール２２０と、第二整流モジュール２３０と、充電モジュール２４０と、無線受信チップ電力供給モジュール２５０と、をさらに含む。第一整流モジュール２２０は、コイル２１０の第一端Ａ１及び第二端Ａ２に接続される。第二整流モジュール２３０は、コイル２１０の第一端Ａ１及び中間タップＡ３に接続される。充電モジュール２４０は、第一整流モジュール２２０及びバッテリ３００に接続され、第一電圧に基づいてバッテリ３００を充電するために用いられる。無線受信チップ電力供給モジュール２５０は、第二整流モジュール２３０及び無線受信チップに接続され、第二電圧に基づいて無線受信チップに電力を供給するために用いられる。
【００７９】
移動端末の構成要素の詳細内容について、上述した無線充電受信装置の説明を参照することができ、ここでは繰り返さない。
【００８０】
本発明の実施形態において、被充電機器は端末であることができる。この「端末」は、有線回線によって接続される装置及び/又は無線インタフェースを介して通信信号を受信/送信する装置であることができるが、それに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、衛星又はセルラー電話、パーソナル通信システム（ｐｅｒｓｏｎａｌ ｃｏｍｍｕｎｉｃａｔｉｏｎ ｓｙｓｔｅｍ，ＰＣＳ）端末（セルラー無線電話とデータ処理、ファックス及びデータ通信能力を組み合わせることができる）、パーソナルデジタルアシスタント（Ｐｅｒｓｏｎａ  Ｄｉｇｉｔａｌ Ａｓｓｉｓｔａｎｔ, ＰＤＡ）（無線電話（ｒａｄｉｏ ｔｅｌｅｐｈｏｎｅ）、ページャ（ｐａｇｅｒ）、インターネット/イントラネットアクセス（Ｉｎｔｅｒｎｅｔ/Ｉｎｔｒａｎｅｔ ａｃｃｅｓｓ）、ウェブブラウジング（ｗｅｂ ｂｒｏｗｓｉｎｇ）、ノートブック（ｎｏｔｅｂｏｏｋ）、カレンダー（ｃａｌｅｎｄａｒ）及び/又は全地球測位システム（ｇｌｏｂａｌ ｐｏｓｉｔｉｏｎｉｎｇ ｓｙｓｔｅｍ, ＧＰＳ）受信機を備えることができる）及び/又は通常のラップトップ型又はハンドヘルド受信機、又は無線電話機能を備えた他の電子デバイスを備えるが、それに限定されるものではない。また、本発明の実施形態において、被充電機器又は端末は、パワーバンク（ｐｏｗｅｒ ｂａｎｋ）を備えることができる。このパワーバンクは、アダプタによって充電されることができ、従って他の電子装置に電力を供給するためにエネルギーを蓄積することができる。
【００８１】
上述した実施形態において、全部又は一部はソフトウェア、ハードウェア、ファームウェア（ｆｉｒｍｗａｒｅ）、又は任意の他の組み合わせによって実現することができる。ソフトウェアによって実現する場合、全部又は一部は、コンピュータプログラム製品の形式で実現することができる。コンピュータプログラム製品は、１つ又は複数のコンピュータ命令を含む。コンピュータにコンピュータプログラム命令をアップロードして実行される場合、本発明の実装形態のプロセス又は機能の全部又は一部が実行される。コンピュータは、汎用コンピュータ、専用コンピュータ、コンピュータネットワーク、又は他のプログラム可能な装置であることができる。コンピュータ命令は、コンピュータ可読記憶媒体に記憶することができ、又は１つのコンピュータ可読記憶媒体から別のコンピュータ可読記憶媒体に送信することができる。例えば、コンピュータ命令は、有線（例えば、同軸ケーブル、光ファイバ、デジタル加入者線（ｄｉｇｉｔａｌ ｓｕｂｓｃｒｉｂｅｒ ｌｉｎｅ, ＤＳＬ）である）又は無線（赤外線、無線、マイクロ波などである）方式によって、あるウェブサイト、コンピュータ、サーバ、又はデータセンタから別のウェブサイト、コンピュータ、サーバ、又はデータセンタに送信することができる。コンピュータ可読記憶媒体は、コンピュータがアクセスすることができる任意の利用可能な媒体、又は１つ又は複数の利用可能な媒体統合を含むサーバ、データセンタなどのデータ記憶装置であることができる。使用可能な媒体は、磁気媒体（例えば、ソフトディスク、ハードディスク、磁気テープである）、光学媒体（例えば、デジタルビデオディスク（ｄｉｇｉｔａｌ ｖｉｄｅｏ ｄｉｓｃ，ＤＶＤ）である）、又は半導体媒体（例えば、ソリッドステートディスク（ｓｏｌｉｄ ｓｔａｔｅ ｄｉｓｋ，ＳＳＤ）である）などであることができる。
【００８２】
本出願に開示された実施例に基づいて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。当業者は、特定応用ごとに異なる方法を使用して記載される機能を実現できるが、これらの実現は、本発明の範囲を超えると見なされるべきではない。
【００８３】
本願によって提供される幾つかの実施形態において、開示されるシステム、装置及び方法は、他の形態により実現され得ると理解されるべきである。例えば、上記に説明された装置の実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよいし、電気、機械や他の形態であってもよい。
【００８４】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【００８５】
また、本発明に係る各実施例の各機能ユニットは、１つの処理ユニットに集積されてもよいし、物理的に分離された複数のユニットとして存在してもよいし、２つ以上のユニットは１つのユニットに集積してもよい。
【００８６】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【手続補正２】
【補正対象書類名】特許請求の範囲
【補正対象項目名】全文
【補正方法】変更
【補正の内容】
【特許請求の範囲】
【請求項１】
無線充電受信装置であって、
第一端、第二端及び中間タップを含み、前記第一端と前記第二端と間のコイルは第一電圧を提供し、前記第一端と前記中間タップとの間のコイルは第二電圧を提供するコイルと、
前記コイルの第一端及び第二端に接続される第一整流モジュールと、
前記コイルの第一端及び中間タップに接続される第二整流モジュールと、
前記第一整流モジュールに接続され、前記第一電圧に基づいてバッテリを充電するために用いられる充電モジュールと、
前記第二整流モジュールに接続され、前記第二電圧に基づいて無線受信チップに電力を供給するために用いられる無線受信チップ電力供給モジュールと、
を含む、
ことを特徴とする無線充電受信装置。
【請求項２】
前記無線充電受信装置は、前記第二整流モジュールと前記無線受信チップ電力供給モジュールとの間に接続され、且つ前記第二電圧を第三電圧に降圧して前記無線受信チップに電力を供給するために用いられる降圧モジュールをさらに含む、
ことを特徴とする請求項１に記載の無線充電受信装置。
【請求項３】
前記第一電圧は前記第二電圧より大きい、
ことを特徴とする請求項１に記載の無線充電受信装置。
【請求項４】
前記無線充電受信装置は、前記第一整流モジュール及び前記第二整流モジュールの入力側の共通結合点の前に設置されたキャパシターをさらに含み、前記第一整流モジュール及び前記第二整流モジュールは前記キャパシターを共有する、
ことを特徴とする請求項１に記載の無線充電受信装置。
【請求項５】
前記無線充電受信装置は、
前記コイルの第一端と前記第一整流モジュールとの間に設置された第一キャパシターと、
前記コイルの第一端と前記第二整流モジュールとの間に設置された第二キャパシターと、
をさらに含む、
ことを特徴とする請求項１に記載の無線充電受信装置。
【請求項６】
前記中間タップは第一中間タップ及び第二中間タップを含み、前記コイルの第一端と前記第一中間タップとの間のコイルは前記第二電圧を提供し、前記コイルの第一端と前記第二中間タップとの間のコイルは第四電圧を提供し、前記第二整流モジュールは前記コイルの第一端及び第一中間タップに接続される、
ことを特徴とする請求項１に記載の無線充電受信装置。
【請求項７】
前記第二中間タップの位置は調整可能である、
ことを特徴とする請求項６に記載の無線充電受信装置。
【請求項８】
前記無線充電受信装置は、前記コイルの第一端及び前記第二中間タップに接続された第三整流モジュールをさらに備え、
前記充電モジュールは、前記第三整流モジュールに接続され、前記第一電圧又は前記第四電圧に基づいて前記バッテリを充電するために用いられる、
ことを特徴とする請求項６に記載の無線充電受信装置。
【請求項９】
前記第二中間タップの数量は複数であり、前記第三整流モジュールの数量も複数であり、各々の前記第三整流モジュールは前記コイルの第一端及び対応する前記第二中間タップに接続される、
ことを特徴とする請求項８に記載の無線充電受信装置。
【請求項１０】
前記無線充電受信装置は、第一スイッチ、第二スイッチ及び制御モジュールをさらに含み、
前記第一スイッチは、前記コイルの第二端及び前記第一整流モジュールに接続され、
前記第二スイッチは、前記第二中間タップ及び前記第三整流モジュールに接続され、
前記制御モジュールは前記第一スイッチ及び前記第二スイッチを制御するために用いられ、
前記充電モジュールは、
前記第一スイッチが閉じられ、前記第一整流モジュールが作動状態にあるときに、前記第一電圧を前記バッテリに印加するために用いられ、
前記第二スイッチが閉じられ、前記第三整流モジュールが作動状態にあるときに、前記第四電圧を前記バッテリに印加するために用いられる、
ことを特徴とする請求項８に記載の無線充電受信装置。
【請求項１１】
前記無線充電受信装置は、第一スイッチ、第二スイッチ及び制御モジュールをさらに含み、
前記第一スイッチは、前記コイルの第二端及び前記第一整流モジュールに接続され、
前記第二スイッチは、前記コイルの第二中間タップ及び前記第一整流モジュールに接続され、
前記制御モジュールは、前記第一スイッチ及び前記第二スイッチを制御するために用いられ、
前記充電モジュールは、前記第一電圧又は前記第四電圧に基づいて前記バッテリを充電するために用いられる、
ことを特徴とする請求項６に記載の無線充電受信装置。
【請求項１２】
前記第二中間タップの数量は複数であり、前記第二スイッチの数量も複数であり、各々の前記第三整流モジュールは前記コイルの第一端及び対応する前記第二中間タップに接続される、
ことを特徴とする請求項１１に記載の無線充電受信装置。
【請求項１３】
前記充電モジュールは降圧回路を含み、
前記降圧回路は、前記第一整流モジュールから受信する第一電圧を降圧することにより、降圧した電圧を獲得して前記バッテリに印加するために用いられる、
ことを特徴とする請求項１に記載の無線充電受信装置。
【請求項１４】
前記充電モジュールは変換回路を含み、
前記変換回路は、前記第一整流モジュールから受信する第一電圧に対して電圧制御を行うために用いられ、
前記変換回路は、前記第一整流モジュールに接続された電圧安定化回路と、前記バッテリに接続され且つ定電流及び定電圧を実現するために用いられる回路と、を含む、
ことを特徴とする請求項１に記載の無線充電受信装置。
【請求項１５】
前記無線受信チップの作動電圧電圧に応じて前記中間タップの位置を確定する、
ことを特徴とする請求項１に記載の無線充電受信装置。
【請求項１６】
前記無線充電受信装置は、現在の無線充電モードを獲得するように無線充電送信装置と通信するモード判断モジュールをさらに含む、
ことを特徴とする請求項１に記載の無線充電受信装置。
【請求項１７】
前記無線充電受信装置は検出回路をさらに含み、
前記検出回路は、前記充電ジュール及び前記モード判断モジュールに接続され、前記充電モジュールから出力される充電電圧及び/又は充電電流を検出し、且つ前記充電モジュールから出力される充電電圧及び/又は充電電流を前記モード判断モジュールに伝送し、
前記モード判断モジュールは、前記充電モジュールから出力される充電電圧及び/又は充電電流を無線充電送信装置にフィードバックし、
前記無線充電送信装置は、フィードバックされた充電電圧及び/又は充電電流に応じて、無線送信回路の送信電力を調整することにより無線充電モードを調整する、
ことを特徴とする請求項１６に記載の無線充電受信装置。
【請求項１８】
バッテリと、無線受信チップと、コイルと、第一整流モジュールと、第二整流モジュールと、充電モジュールと、無線受信チップ電力供給モジュールと、を含み、
前記コイルは、第一端、第二端及び中間タップを含み、前記第一端と前記第二端と間のコイルは第一電圧を提供し、前記第一端と前記中間タップとの間のコイルは第二電圧を提供し、
前記第一整流モジュールは、前記コイルの第一端及び第二端に接続され、
前記第二整流モジュールは、前記コイルの第一端及び中間タップに接続され、
前記充電モジュールは、前記第一整流モジュール及びバッテリに接続され、前記第一電圧に基づいて前記バッテリを充電するために用いられ、
前記無線受信チップ電力供給モジュールは、前記第二整流モジュール及び無線受信チップに接続され、前記第二電圧に基づいて前記無線受信チップに電力を供給するために用いられる、
ことを特徴とする移動端末。
【請求項１９】
前記中間タップは第一中間タップ及び第二中間タップを含み、前記コイルの第一端と前記第一中間タップとの間のコイルは前記第二電圧を提供し、前記コイルの第一端と前記第二中間タップとの間のコイルは第四電圧を提供し、前記第二整流モジュールは前記コイルの第一端及び第一中間タップに接続される、
ことを特徴とする請求項１８に記載の移動端末。
【請求項２０】
前記無線充電受信装置は、前記コイルの第一端及び前記第二中間タップに接続された第三整流モジュールをさらに備え、
前記充電モジュールは、前記第三整流モジュールに接続され、前記第一電圧又は前記第四電圧に基づいて前記バッテリを充電するために用いられる、
ことを特徴とする請求項１８に記載の移動端末。
【手続補正３】
【補正対象書類名】図面
【補正対象項目名】図２
【補正方法】変更
【補正の内容】
【図２】
2021516944.tif 000013
【手続補正４】
【補正対象書類名】図面
【補正対象項目名】図６
【補正方法】変更
【補正の内容】
【図６】
2021516944.tif 000014
【手続補正５】
【補正対象書類名】図面
【補正対象項目名】図７
【補正方法】変更
【補正の内容】
【図７】
2021516944.tif 000015
【国際調査報告】
2021516944.tif 000016
2021516944.tif 000017
2021516944.tif 000018
2021516944.tif 000019